(57)【要約】  本発明の実施形態は、空所を備えたベースおよび集灰器を含む香ホルダ組立体である。香ホルダ組立体は、香孔を有する香材支持体を備えた第１の端部を有する上側ハウジングを更に含み、香孔は、この香孔中に挿入された香構造体を支持することができる。香ホルダ組立体は、香材支持体に結合されるとともに集灰器に結合された状態で位置決めされた外部空所を更に含む。さらに、チャネルが香孔から内部空所まで流通可能に延びている。香ホルダ組立体は、香構造体の側部への結合によって香構造体を支持することができる香材支持面を更に含む。香材支持面がチャネルまたは内部空所内に位置決めされるとともに香材支持面が少なくとも１つの孔に隣接してまたはこの近くに位置する。他の実施形態は、香ホルダ組立体を製作する方法である。
2019528980.tif 000002
【特許請求の範囲】
【請求項１】
香ホルダ組立体であって、
前記香ホルダ組立体の少なくとも１つの内部チャンバに結合された少なくとも１つのオリフィスを含み、前記少なくとも１つのオリフィスは、前記少なくとも１つのオリフィスの少なくとも一部分または前記少なくとも１つの内部チャンバの少なくとも１つの内面に加わるある特定の片持ち荷重を維持するのに十分な第１の所定の長さを有する少なくとも１つの挿入状態の香材と結合されると、片持ち支持体として構成されるとともに前記少なくとも１つの内部チャンバとともに配置され、前記ある特定の片持ち荷重は、前記少なくとも１つの挿入状態の香材を安定した位置に維持するのに十分な片持ち荷重であり、
第２の所定の長さまで焚くことによって前記第１の所定の長さを減少させ、その結果、前記少なくとも１つの挿入状態の香材が前記少なくとも１つのオリフィスの少なくとも一部分および前記少なくとも１つの内部チャンバの少なくとも１つの内面に不十分な大きさの片持ち荷重を及ぼし、前記少なくとも１つの挿入状態の香材は、前記少なくとも１つのオリフィスから前記少なくとも１つの内部チャンバ中に落下する、香ホルダ組立体。
【請求項２】
香ホルダ組立体であって、
少なくとも１つの空所を有する少なくとも１つのベースを含み、
前記少なくとも１つのベースに結合された少なくとも１つの集灰器を含み、
少なくとも１つの香材支持体を備えた第１の端を有する上側ハウジングを含み、前記少なくとも１つの香材支持体は、少なくとも１つの香孔を有し、前記少なくとも１つの香孔は、少なくとも部分的に前記少なくとも１つの香孔中に挿入された香構造体を支持するよう構成されるとともに配置され、
前記少なくとも１つの香材支持体に結合された状態で位置決めされた少なくとも１つの外部空所を含み、前記少なくとも１つの外部空所は、前記少なくとも１つの集灰器に流通可能に結合され、
前記少なくとも１つの香孔から少なくとも１つの内部空所まで流通可能に延びる少なくとも１つのチャネルを含み、
前記香構造体の少なくとも１つの側部への結合によって前記香構造体を少なくとも部分的に支持するよう構成されるとともに配置された少なくとも２つの香材支持面を含み、前記少なくとも２つの香材支持面のうちの少なくとも一方は、前記少なくとも１つのチャネルおよび前記少なくとも１つの内部空所のうちの少なくとも一方内に位置決めされ、前記少なくとも２つの香材支持面のうちの少なくとも一方は、前記少なくとも１つの孔に隣接してまたは前記少なくとも１つの孔の近くに位置する、香ホルダ組立体。
【請求項３】
前記少なくとも２つの香材支持面は、少なくとも部分的に、前記少なくとも２つの香材支持面のうちの少なくとも一方に前記香構造体によって及ぼされた重力により生じる力に基づいて前記香構造体に対して支持作用をもたらすよう構成されるとともに配置されている、請求項２記載の香ホルダ組立体。
【請求項４】
前記上側ハウジングは、前記少なくとも１つの外部空所を有する、請求項２記載の香ホルダ組立体。
【請求項５】
前記少なくとも１つの外部空所は、前記少なくとも１つの灰孔の互いに反対側の側部から延びる少なくとも２つの反対側で対向した側部を有する、請求項２記載の香ホルダ組立体。
【請求項６】
前記少なくとも１つの灰孔は、前記第１の端のところの前記少なくとも１つの香孔に隣接したところから少なくとも部分的に前記上側ハウジングの反対側の端まで延びる状態で前記上側ハウジング内の実質的に中央に位置決めされている、請求項５記載の香ホルダ組立体。
【請求項７】
前記少なくとも１つの灰孔は、前記第１の端のところの前記少なくとも１つの香孔に隣接したところから少なくとも部分的に前記上側ハウジングの反対側の端まで延びる状態で前記上側ハウジング内にオフセンタ状態で位置決めされている、請求項５記載の香ホルダ組立体。
【請求項８】
前記少なくとも１つのチャネルは、前記少なくとも２つの香材支持面を有する、請求項２記載の香ホルダ組立体。
【請求項９】
前記少なくとも１つのチャネルは、前記上側ハウジングの前記第１の端から前記上側ハウジングの反対側の端に向かって少なくとも部分的に延びる挿入状態の線香を支持するよう構成されるとともに配置されている、請求項８記載の香ホルダ組立体。
【請求項１０】
少なくとも１つの貯蔵空所を更に含む、請求項２記載の香ホルダ組立体。
【請求項１１】
前記少なくとも１つの貯蔵空所は、前記少なくとも１つのベース層内に位置決めされるとともに少なくとも部分的に前記少なくとも１つの集灰器の下にかつ前記少なくとも１つの集灰器から隔てられた状態で位置決めされている、請求項１０記載の香ホルダ組立体。
【請求項１２】
前記上側ハウジングに結合されるとともに少なくとも部分的に前記少なくとも１つの外部空所を横切って延びる蓋を更に含む、請求項２記載の香ホルダ組立体。
【請求項１３】
前記蓋は、前記少なくとも１つの外部空所および前記少なくとも１つの香孔に流体結合された少なくとも１つのベントを有する、請求項１２記載の香ホルダ組立体。
【請求項１４】
前記少なくとも１つの香材支持体は、３つの香材支持体から成り、各香材支持体は、香孔を有する、請求項２記載の香ホルダ組立体。
【請求項１５】
前記上側ハウジングは、開口した第２の端を有する、請求項２記載の香ホルダ組立体。
【請求項１６】
前記上側ハウジングは、閉鎖された第２の端を有し、前記少なくとも１つの外部空所は、トラフから成る、請求項２記載の香ホルダ組立体。
【請求項１７】
少なくとも１つの空所は、前記少なくとも１つの集灰器から成る、請求項２記載の香ホルダ組立体。
【請求項１８】
香ホルダ製作方法であって、
少なくとも１つの空所を有する少なくとも１つのベースを用意するステップを含み、
少なくとも１つの集灰器を少なくとも１つの集灰器層内に用意するステップを含み、
前記少なくとも１つのベースに結合されるよう構成された少なくとも１つの香材支持体を有する第１の端部を備えた上側ハウジングを用意するステップを含み、前記少なくとも１つの香材支持体は、香構造体を支持するよう構成されるとともに配置された少なくとも１つの香孔を有し、前記上側ハウジングは、前記少なくとも１つの香材支持体に結合された状態で位置決めされた少なくとも１つの外部空所を有し、前記少なくとも１つの外部空所は、前記少なくとも１つの集灰器に流体結合され、
前記少なくとも１つの香孔から少なくとも１つの内部空所まで流通可能に延びる少なくとも１つのチャネルを用意するステップを含み、
前記香構造体の少なくとも１つの表面への結合によって前記香構造体を少なくとも部分的に支持するよう構成されるとともに配置された少なくとも２つの香材支持面を用意しまたは組み立てるステップを含み、前記少なくとも２つの香材支持面のうちの少なくとも一方は、前記少なくとも１つのチャネルおよび前記少なくとも１つの内部空所のうちの少なくとも一方内に位置決めされ、前記少なくとも２つの香材支持面のうちの少なくとも一方は、前記少なくとも１つの孔に隣接しまたは前記少なくとも１つの孔の近くに位置する、方法。
【請求項１９】
前記少なくとも２つの香材支持面は、前記少なくとも１つのベース、前記少なくとも１つの集灰器および前記上側ハウジングのうちの少なくとも１つの少なくとも１つの表面を含む、請求項１８記載の方法。
【請求項２０】
前記少なくとも１つのベース層内に位置決めされるとともに前記少なくとも１つの集灰器の下にかつ前記少なくとも１つの集灰器から隔てられた状態で位置決めされた少なくとも１つの貯蔵空所を用意するステップを更に含む、請求項１８記載の方法。
【請求項２１】
前記上側ハウジングに結合されるよう構成されるとともに少なくとも部分的に少なくとも１つの外部空所を横切って延びる蓋を用意するステップを更に含み、前記蓋は、前記少なくとも１つの外部空所および前記少なくとも１つの香孔に流体結合された少なくとも１つのベントを有する、請求項１８記載の方法。
【発明の詳細な説明】
【背景技術】
【０００１】
〔関連出願の参照〕
本願は、２０１６年９月２９日に出願された米国特許出願第１５／２８０，３２６号の権益および優先権主張出願であり、この米国特許出願を参照により引用し、その開示内容全体を本明細書の一部とする。
【０００２】
香は、何世紀にもわたって世界的に用いられ、香は、アジア諸国で特に人気があり、また米国では近年人気が出ている。香を焚くことは、アロマセラピーやフレグランス拡散のため、防虫剤／殺虫剤として、そして医薬用途向けに用いられている。線香または渦巻き状香が最も人気のある物理的形状であり、種々の形式のディスペンサおよびホルダが香焚きに先立って新しい香材を貯蔵するために利用できる。香材は、非可燃性表面のすぐ近くに位置決めされるとまたはこの非可燃性表面上に位置決めされるとすぐに消えがちである。したがって、香材は、焚かれるようになった香材の任意の部分のうちの大部分が別の表面に当たりまたはこの近くに来るのが阻止されるよう支持される必要がある。
【発明の概要】
【発明が解決しようとする課題】
【０００３】
香を焚くと、一般的には、見苦しい場合のある灰（アッシュ）や他のデブリが生じる。従来型香炉では一般に、灰の効率的な捕捉が可能ではなくかつ／あるいは交換が必要になる前に香製品の大部分を焚くことができない。灰およびデブリ発生の問題は、香のカスを手で集めたり片付けたりしようと考える気がない潜在的な香消費者に影響を及ぼす傾向がある。したがって、香を効率的に焚きやすくする一方で燃焼副生物やデブリのうちの何割かまたは全てを捕捉する器具または装置が要望されている。
【課題を解決するための手段】
【０００４】
幾つかの実施形態は、香ホルダ組立体であって、香ホルダ組立体の少なくとも１つの内部チャンバに結合された少なくとも１つのオリフィスを含む香ホルダ組立体である。少なくとも１つのオリフィスは、少なくとも１つのオリフィスの少なくとも一部分または少なくとも１つの内部チャンバの少なくとも１つの内面に加わるある特定の片持ち荷重を維持するのに十分な第１の所定の長さを有する少なくとも１つの挿入状態の香材と結合されると、片持ち支持体として構成されるとともに少なくとも１つの内部チャンバとともに配置されている。さらに、ある特定の片持ち荷重は、少なくとも１つの挿入状態の香材を安定した位置に維持するのに十分な片持ち荷重である。第２の所定の長さまで焚くことによって第１の所定の長さを減少させ、その結果、少なくとも１つの挿入状態の香材が少なくとも１つのオリフィスの少なくとも一部分および少なくとも１つの内部チャンバの少なくとも１つの内面に不十分な大きさの片持ち荷重を及ぼし、少なくとも１つの挿入状態の香材は、少なくとも１つのオリフィスから少なくとも１つの内部チャンバ中に落下する。
【０００５】
本発明の幾つかの別の実施形態は、少なくとも１つの空所を有する少なくとも１つのベースと、少なくとも１つのベースに結合された少なくとも１つの集灰器を含む香ホルダ組立体である。香ホルダ組立体は、少なくとも１つの香材支持体を備えた第１の端を有する上側ハウジングを更に含むのが良く、少なくとも１つの香材支持体は、少なくとも１つの香孔を有するのが良く、少なくとも１つの香孔は、少なくとも部分的に少なくとも１つの香孔中に挿入された香構造体を支持するよう構成されるとともに配置されている。香ホルダ組立体は、少なくとも１つの香材支持体に結合された状態で位置決めされた少なくとも１つの外部空所を更に含むのが良い。さらに、少なくとも１つのチャネルは、少なくとも１つの香孔から少なくとも１つの外部空所に流通可能に結合されている。香ホルダ組立体は、香構造体の少なくとも１つの側部への結合によって香構造体を少なくとも部分的に支持するよう構成されるとともに配置された少なくとも２つの香材支持面を更に含むのが良い。少なくとも２つの香材支持面のうちの少なくとも一方は、少なくとも１つのチャネルおよび少なくとも１つの内部空所のうちの少なくとも一方内に位置決めされている。さらに、少なくとも２つの香材支持面のうちの少なくとも一方は、少なくとも１つの孔に隣接してまたは少なくとも１つの孔の近くに位置する。
【０００６】
幾つかの実施形態では、少なくとも２つの香材支持面は、少なくとも部分的に、少なくとも２つの香材支持面のうちの少なくとも一方に香構造体によって及ぼされた重力により生じる力に基づいて香構造体に対して支持作用をもたらすよう構成されるとともに配置されている。
【０００７】
幾つかの実施形態では、上側ハウジングは、少なくとも１つの外部空所を有する。幾つかの別の実施形態では、少なくとも１つの外部空所は、少なくとも１つの灰孔の互いに反対側の側部から延びる少なくとも２つの反対側で対向した側部を有する。幾つかの他の実施形態では、少なくとも１つの灰孔は、第１の端のところの少なくとも１つの香孔に隣接したところから少なくとも部分的に上側ハウジングの反対側の端まで延びる状態で上側ハウジング内の実質的に中央に位置決めされている。
【０００８】
幾つかの実施形態では、少なくとも１つの灰孔は、第１の端のところの少なくとも１つの香孔に隣接したところから少なくとも部分的に上側ハウジングの反対側の端まで延びる状態で上側ハウジング内にオフセンタ状態で位置決めされている。幾つかの実施形態では、少なくとも１つのチャネルは、少なくとも２つの香材支持面を有する。幾つかの別の実施形態では、少なくとも１つのチャネルは、上側ハウジングの第１の端から上側ハウジングの反対側の端に向かって少なくとも部分的に延びる挿入状態の線香を支持するよう構成されるとともに配置されている。
【０００９】
幾つかの実施形態は、少なくとも１つの貯蔵空所を含む。幾つかの別の実施形態では、少なくとも１つの貯蔵空所は、少なくとも１つのベース層内に位置決めされるとともに少なくとも部分的に少なくとも１つの集灰器の下にかつ少なくとも１つの集灰器から隔てられた状態で位置決めされている。
【００１０】
本発明の幾つかの別の実施形態は、上側ハウジングに結合されるとともに少なくとも部分的に少なくとも１つの外部空所を横切って延びる蓋を含む。幾つかの実施形態では、蓋は、少なくとも１つの外部空所および少なくとも１つの香孔に流体結合された少なくとも１つのベントを有する。
【００１１】
幾つかの実施形態では、少なくとも１つの香材支持体は、３つの香材支持体から成り、各香材支持体は、香孔を有する。幾つかの実施形態では、上側ハウジングは、開口した第２の端を有する。幾つかの別の実施形態では、上側ハウジングは、閉鎖された第２の端を有し、少なくとも１つの外部空所は、トラフから成る。幾つかの他の実施形態では、少なくとも１つの空所は、少なくとも１つの集灰器から成る。
【００１２】
幾つかの実施形態は、少なくとも１つの空所を有する少なくとも１つのベースを形成するステップと、少なくとも１つの集灰器を少なくとも１つの集灰器層内に形成するステップとを含む香ホルダ製作方法である。幾つかの別の実施形態は、少なくとも１つのベースに結合されるよう構成された少なくとも１つの香材支持体を有する第１の端部を備えた上側ハウジングを形成するステップを含む。少なくとも１つの香材支持体は、香構造体を支持するよう構成されるとともに配置された少なくとも１つの香孔を有し、上側ハウジングは、少なくとも１つの香材支持体に結合された状態で位置決めされた少なくとも１つの外部空所を有する。さらに、少なくとも１つの外部空所は、少なくとも１つの集灰器に流体結合される。さらに、本方法は、少なくとも１つの香孔から少なくとも１つの内部空所まで流通可能に延びる少なくとも１つのチャネルを形成するステップを含む。さらに、本方法は、香構造体の少なくとも１つの表面への結合によって香構造体を少なくとも部分的に支持するよう構成されるとともに配置された少なくとも２つの香材支持面を形成しまたは組み立てるステップを含む。少なくとも２つの香材支持面のうちの少なくとも一方は、少なくとも１つのチャネルおよび少なくとも１つの内部空所のうちの少なくとも一方内に位置決めされ、少なくとも２つの香材支持面のうちの少なくとも一方は、少なくとも１つの孔に隣接しまたは少なくとも１つの孔の近くに位置する。
【００１３】
幾つかの実施形態では、少なくとも２つの香材支持面は、少なくとも１つのベース、少なくとも１つの集灰器および上側ハウジングのうちの少なくとも一方の少なくとも１つの表面を含む。本方法の幾つかの別の実施形態は、少なくとも１つのベース層内に位置決めされるとともに少なくとも１つの集灰器の下にかつ少なくとも１つの集灰器から隔てられた状態で位置決めされた少なくとも１つの貯蔵空所を形成するステップを含む。本方法の他の実施形態は、上側ハウジングに結合されるよう構成されるとともに少なくとも部分的に少なくとも１つの外部空所を横切って延びる蓋を形成するステップを含む。蓋は、少なくとも１つの外部空所および少なくとも１つの香孔に流体結合された少なくとも１つのベントを有する。
【００１４】
幾つかの実施形態は、少なくとも１つの空所を有する少なくとも１つのベースを用意するステップと、少なくとも１つの集灰器を少なくとも１つの集灰器層内に用意するステップとを含む香ホルダ製作方法である。幾つかの別の実施形態は、少なくとも１つのベースに結合されるよう構成された少なくとも１つの香材支持体を有する第１の端部を備えた上側ハウジングを用意するステップを含む。少なくとも１つの香材支持体は、香構造体を支持するよう構成されるとともに配置された少なくとも１つの香孔を有し、上側ハウジングは、少なくとも１つの香材支持体に結合された状態で位置決めされた少なくとも１つの外部空所を有する。さらに、少なくとも１つの外部空所は、少なくとも１つの集灰器に流体結合される。さらに、本方法は、少なくとも１つの香孔から少なくとも１つの内部空所まで流通可能に延びる少なくとも１つのチャネルを用意するステップを含む。さらに、本方法は、香構造体の少なくとも１つの表面への結合によって香構造体を少なくとも部分的に支持するよう構成されるとともに配置された少なくとも２つの香材支持面を用意しまたは組み立てるステップを含む。少なくとも２つの香材支持面のうちの少なくとも一方は、少なくとも１つのチャネルおよび少なくとも１つの内部空所のうちの少なくとも一方内に位置決めされ、少なくとも２つの香材支持面のうちの少なくとも一方は、少なくとも１つの孔に隣接しまたは少なくとも１つの孔の近くに位置する。
【００１５】
幾つかの実施形態では、少なくとも２つの香材支持面は、少なくとも１つのベース、少なくとも１つの集灰器および上側ハウジングのうちの少なくとも１つの少なくとも１つの表面を含む。本方法の幾つかの別の実施形態は、少なくとも１つのベース層内に位置決めされるとともに少なくとも１つの集灰器の下にかつ少なくとも１つの集灰器から隔てられた状態で位置決めされた少なくとも１つの貯蔵空所を用意するステップを含む。本方法の他の実施形態は、上側ハウジングに結合されるよう構成されるとともに少なくとも部分的に少なくとも１つの外部空所を横切って延びる蓋を用意するステップを含む。蓋は、少なくとも１つの外部空所および少なくとも１つの香孔に流体結合された少なくとも１つのベントを有する。
【図面の簡単な説明】
【００１６】
【図１】本発明の幾つかの実施形態による香炉の斜視図である。
【図２】本発明の幾つかの実施形態による香炉の斜視図である。
【図３】本発明の幾つかの実施形態による図１および図２の香炉の端部の拡大切除斜視図である。
【図４】本発明の幾つかの実施形態による図１および図２の香炉の分解組立図である。
【図５】本発明の幾つかの実施形態による図１および図２の香炉の平面図である。
【図６】本発明の幾つかの実施形態による図５に示された断面線に沿って見た断面図である。
【図７Ａ】本発明の幾つかの実施形態による図６に示された香炉のホルダ部分の拡大図である。
【図７Ｂ】本発明の幾つかの実施形態による香炉のホルダ部分内に位置決めされた線香の一部分を示す図７Ａの香炉の端部の拡大図である。
【図８】本発明の幾つかの別の実施形態によるホルダ部分の断面図である。
【図９】本発明の別の実施形態によるホルダ部分の断面図である。
【図１０】本発明の別の実施形態によるホルダ部分の断面図である。
【図１１】本発明の幾つかの実施形態による香炉の正面上から見た斜視図である。
【図１２】本発明の幾つかの実施形態による香炉の斜視図である。
【図１３】本発明の幾つかの実施形態による図１１および図１２の香炉の端部の拡大切除斜視図である。
【図１４】本発明の幾つかの実施形態による線香を含む図１１および図１２の香炉の分解組立図である。
【図１５】本発明の幾つかの実施形態による図１１および図１２の香炉の平面図である。
【図１６】本発明の幾つかの実施形態による図１５に示された断面線に沿って見た断面図である。
【図１７】図１６に記載された香炉のホルダ部分の拡大図であり、本発明の幾つかの実施形態による香炉のホルダ部分内に位置決めされた線香の一部分を示す図である。
【図１８】図１６に記載された香炉のホルダ部分の拡大図であり、本発明の幾つかの実施形態による香炉のホルダ部分内にあらかじめ位置決めされた線香の一部分の移動状態を示す図である。
【図１９】本発明の幾つかの実施形態による香炉の正面上から見た斜視図である。
【図２０】本発明の幾つかの実施形態による香炉の斜視図である。
【図２１】本発明の幾つかの実施形態による図１９および図２０の香炉の端部の拡大切除斜視図である。
【図２２】本発明の幾つかの実施形態による図１９および図２０の香炉の分解組立図である。
【図２３】本発明の幾つかの実施形態による図１９および図２０の香炉の平面図である。
【図２４】本発明の幾つかの実施形態による図２３に示された断面線に沿って取った断面図である。
【図２５】本発明の幾つかの実施形態による香炉の斜視図である。
【図２６】本発明の幾つかの実施形態に従って蓋部分が取り外された状態の図２５の香炉の斜視図である。
【図２７】本発明の幾つかの実施形態による図２５の香炉の分解組立図である。
【図２８】本発明の幾つかの実施形態による点線で示された内側領域を含む香炉の平面図である。
【図２９】本発明の幾つかの実施形態による図２８に示された断面線に沿って取った断面図である。
【図３０】本発明の幾つかの実施形態のうちの１つによる線香ホルダアーキテクチャを示す図である。
【図３１】本発明の幾つかの実施形態のうちの１つによる線香ホルダアーキテクチャを示す図である。
【図３２】本発明の幾つかの実施形態のうちの１つによる線香ホルダアーキテクチャを示す図である。
【図３３】本発明の幾つかの実施形態のうちの１つによる線香ホルダアーキテクチャを示す図である。
【図３４】本発明の幾つかの実施形態のうちの１つによる線香ホルダアーキテクチャを示す図である。
【図３５】本発明の幾つかの実施形態のうちの１つによる線香ホルダアーキテクチャを示す図である。
【図３６】本発明の幾つかの実施形態のうちの１つによる線香ホルダアーキテクチャを示す図である。
【図３７】本発明の幾つかの実施形態のうちの１つによる線香ホルダアーキテクチャを示す図である。
【図３８】本発明の幾つかの実施形態のうちの１つによる線香ホルダアーキテクチャを示す図である。
【図３９】本発明の幾つかの実施形態による線香オリフィスの側面図である。
【図４０】本発明の幾つかの実施形態による図３９の線香オリフィスの断面図である。
【図４１】本発明の幾つかの実施形態による線香オリフィスの側面図である。
【図４２】本発明の幾つかの実施形態による図４１の線香オリフィスの断面図である。
【図４３】本発明の幾つかの実施形態による線香オリフィスの側面図である。
【図４４】本発明の幾つかの実施形態による図４３の線香オリフィスの断面図である。
【発明を実施するための形態】
【００１７】
本発明の実施形態を詳細に説明する前に、本発明は、その用途が以下の説明に記載されまたは以下の図面に示されたコンポーネントの構成および配列の細部に限定されないことは理解されるべきである。本発明は、他の実施形態で実施可能であり、しかも種々の仕方で実施できる。また、理解されるべきこととして、本明細書で用いられる語句および用語は、説明の目的のものであり、本発明を限定するものと見なされるべきではない。原文明細書における“including”（訳文では、「〜を含む」としている場合が多い）、“comprising”（「〜を有する」）または“having”（「〜を備える」）およびこれらの変形語の使用は、その後に記載されたアイテムおよびその均等例ならびに追加のアイテムを含むことが意図されている。別段の規定または制約がなければ、“mounted”（「取り付けられ」）、“connected”（「連結され」）、“supported”（「支持され」）、“coupled”（「結合され」）およびこれらの変形語は、広義に用いられ、直接的な取り付け、連結、支持、および結合と、間接的な取り付け、連結、支持、および結合の両方を含む。さらに、「連結され」および「結合され」は、物理的または機械的な連結または結合には限定されない。
【００１８】
以下の説明は、当業者が本発明の実施形態を構成して使用することができるようにするために提供されている。図示の実施形態に対する種々の改造は、当業者には容易に明らかであり、本明細書において説明する一般的原理は、本発明の実施形態から逸脱することなく、他の実施形態および用途に利用できる。かくして、本発明の実施形態は、図示の実施形態には限定されることが意図されておらず、本明細書において開示する原理および特徴と一致して最も広い範囲が与えられるものである。以下の詳細な説明は、図面を参照して読まれるべきであり、互いに異なる図に記載された同一の要素は、同一の参照符号で示されている。図は、必ずしも縮尺通りにはなっておらず、これらの図は、選択された実施形態を記載しており、本発明の実施形態の範囲を限定することが意図されていない。当業者であれば認識されるように、本明細書において提供される実施例は、本発明の実施形態の範囲に属する多くの有用な変形例を含む。
【００１９】
本明細書に記載された「焚く」またはその変形語の使用は、例えば香材のような材料を含むものであり、香材の少なくとも一部分は、燃焼を開始し、燃焼を行っており、または燃焼を完了している。さらに、「燃焼」およびその変形語は、少なくとも部分的に点火または着火され、そして完全なまたは不完全な燃焼を行っており、くすぶっており、燃え上がっており、煙を出しており、またはこれらの組み合わせを行っている材料を含むものである。使用中、装置は、少なくとも部分的に香焚き中の材料を支持するために使用されるのが良くかつ／あるいは香焚き中の一部分を含む。幾つかの実施形態では、装置は、材料を支持するために使用でき、材料の少なくとも一部分は、目に見える燃焼を行っている（すなわち、火炎および／または赤々とした燃えさし、煙の発生、灰の生成、またはこれらの組み合わせを含む）。他の実施形態では、装置は、材料を支持するために使用でき、材料の少なくとも一部分は、目に見えない燃焼を行っている（例えば、基本的な燃焼が材料のバルク中で起こるとともに／あるいは灰の層または他の燃焼しまたは部分的に香焚きされた香材の下で少なくとも部分的に起こる）。幾つかの別の実施形態では、本明細書において説明する装置または組立体のうちの任意のものは、火が付けられておらずまたは違ったやり方で香焚きされている１つまたは２つ以上の香材を保持しまたは支持するために使用できる。
【００２０】
別段の指定または制約がなければ、「香」またはその変形語の使用は、例えば一般的に可燃性の原料物質を含むのが良い香材のような材料を含むものであり、かかる香は、フレグランス、香水、香油、乾燥樹脂組成物、またはこれらの組み合わせを含む場合がある。香は、樹脂と粉末および充填剤、例えば鋸屑および樹脂の複合物で被覆された木材、紙、または他の天然由来のセルロース材料を含むのが良い。他の変形例としては、樹脂および／またはグルーと香粉末および充填剤、例えば鋸屑または任意他のセルロースを主成分とする材料の注型され、成形され、または押し出された複合材を含む香材が挙げられる。他の添加剤としては、防虫剤（例えば、防蚊剤および／または殺虫剤）、医薬または健康増進物質、発煙剤、またはこれらの組み合わせが挙げられる。幾つかの実施形態では、本明細書において説明する任意の香材および／または商用香材を本明細書において説明する装置実施形態のうちの１つまたは２つ以上の中で焚くことができる。
【００２１】
本明細書において説明する実施形態のうちの１つまたは２つ以上は、スティックまたは棒形態の構造体（例えば、線香またはジョススティック（joss stick））を含む１種類または２種類以上の香を保持しまたは取り付けるために構成されるのが良い。本明細書において用いられる線香およびジョススティックという用語は、区別なく用いられる。さらに、本明細書において説明する実施形態のうちの１つまたは２つ以上は、任意の断面形状のものであって良い１つまたは２つ以上の線香を保持しまたは取り付けるために構成されるのが良く、かかる断面形状としては、完全なまたは不完全な円、完全なまたは不完全な三角形、完全なまた不完全な長方形、またはこれら断面形状の任意の組み合わせを含む部分が挙げられる。幾つかの別の実施形態では、本明細書において説明される実施形態のうちの１つまたは２つ以上は、ペレット、タブ、ブロック、立方体、もしくはランダムな塊、またはこれらの組み合わせとして形成された構造体を含む１つまたは２つ以上の香を保持しまたは取り付けるために構成されるのが良い。
【００２２】
本発明の幾つかの実施形態は、香炉または組立体に関する。幾つかの実施形態では、香炉または組立体は、香材支持構造体を含みまたはこれに結合されたベースを有するのが良い。幾つかの実施形態は、屑収集部分または空所を含む。さらに幾つかの別の実施形態は、香材貯蔵領域もしくは構造体または空所を含む。他の実施形態は、追加の支持構造体および／または空所を含むのが良い。例えば、幾つかの実施形態は、複数の貯蔵空所を含む。幾つかの別の実施形態は、香炉のサイズ、高さ、および形状を製造業者および／またはユーザによって調節できまたは変更することができるようにするための１つまたは２つ以上のスペーサを含む。
【００２３】
一般的に言って、使用中、香炉を１つまたは２つ以上の香材とともに使用することができ、この場合、香材の任意の部分または領域がユーザによって着火されるのが良い。幾つかの実施形態では、ユーザは、あらかじめ火が付けられた線香を取り付けることができ、他の実施形態では、ユーザは、火が付けられていない線香を取り付けることができ、かかる線香を次に香炉内に取り付けられた状態でユーザによって火が付けられるのが良い。棒状の香材の場合、点火装置（例えば、ライターまたはマッチ）を用いて香材の一端部を着火させるために使用でき、その間、他端部は、香炉に保持され、取り付けられ、支持されまたは結合される。例えば、幾つかの実施形態では、線香の一端部は、香炉中に挿入されて開口部または孔内に保持されるのが良い。線香の他端部は、露出されるのが良く、そして香炉から外方に突き出るのが良く、線香の一部分が空気中に延びるようになっている。したがって、幾つかの実施形態では、香材の少なくとも一部分を香炉もしくは他の構造体または表面の任意の部分と接触しない状態で自由空間内に保持することができるようにするために香材のための支持体となることができる構造体を備えた香炉を含む。さらに、幾つかの実施形態は、香材の少なくとも一部分を香炉または他の構造体もしくは表面の任意の部分から約１ｍｍ以上離して自由空間内に保持することができるようにするために香材のための支持体となることができる構造体を含む香炉を含む。
【００２４】
本発明の幾つかの実施形態による香炉１００の斜視図である図１および図２を最初に参照すると、幾つかの実施形態では、香炉１００は、観察者に支持状態の香材の図を提供する構造を有するのが良い。図１および図２に示された実施形態としての香炉１００の開放アーキテクチャにより、ユーザは、燃焼中における香炉内の香材（例えば、図１に示されている線香５０）を見ることができ、幾つかの環境では、揮発性の燃焼生成物および／または煙の目に見える放出を見ることができる。例えば、幾つかの実施形態では、香炉１００は、線香５０を上側部分１４０内に保持することができ、それにより燃焼が進むことができるようにし、他方、揮発性燃焼生成物および／または煙を空気中に放出することができる。幾つかの実施形態では、香炉１００は、上側部分１４０の少なくとも一部分を支持するベース１１０を有するのが良い。幾つかの実施形態では、香炉１００は、ベース１１０に少なくとも部分的に結合された上側部分１４０を有する。幾つかの実施形態では、ベース１１０と上側部分１４０は、実質的に継ぎ目なしの状態で結合でき、ベース１１０から上側部分１４０への移行部は、ユーザ（図示せず）にはほとんど見えずまたは全く見えない。幾つかの実施形態では、ベース１１０と上側部分１４０は、目に見える隙間または継ぎ目１０７を提供するよう結合されても良い。
【００２５】
幾つかの実施形態は、香支持体１７０を含む第１の端部１０１を有し、ユーザは、線香５０を孔１７５に通して香支持体１７０中に挿入することができる。幾つかの実施形態では、孔１７５は、本明細書において説明する香炉１００のハウジングまたは幾つかの部分のうちの任意のものに形成されるのが良くまたは位置決めされるのが良い。図示のように、線香５０は、香炉１００の第２の端部１０２に向かって香炉１００の少なくとも一部の長さにわたって延びるのが良い。幾つかの実施形態では、上側部分１４０は、上側部分１４０の少なくとも部分的な長さにわたって延びるトラフ、空所、または孔を有するのが良い。例えば、幾つかの実施形態では、上側部分１４０は、空所１４５を有するのが良い。幾つかの実施形態では、空所１４５は、香支持体１７０から遠ざかって延びる第１の端部１０１から第２の端部１０２に向かって延びるのが良い。幾つかの実施形態では、空所１４５は、図１および図２の非限定的な実施形態に示されているように開口端１０４を有するのが良い。幾つかの実施形態では、線香５０は、開口端１０４を通過することによって香炉１００の第２の端部１０２を超えて延びることができる。他の実施形態では、空所１４５は、閉鎖端（図示せず）を有するのが良い。
【００２６】
図３は、本発明の幾つかの実施形態による図１および図２の香炉の端部の拡大切除斜視図であり、図４は、本発明の幾つかの実施形態による図１および図２の香炉の分解組立図である。幾つかの実施形態では、空所１４５は、灰孔１６０の互いに反対側の縁まで内方に延びる２つの互いに反対側に位置した対向する結合側部１４６ａ，１４６ｂを有するのが良い。幾つかの実施形態では、灰孔１６０は、上側部分１４０の実質的に中央に位置決めされ、側部１４６ａ，１４６ｂは、実質的に同一の幅のものであるのが良い。他の実施形態では、灰孔１６０は、上側部分１４０の実質的に中央に位置決めされるのが良く、側部１４６ａ，１４６ｂは、等しくない幅のものであるのが良い。図３に示されているように、幾つかの実施形態では、側部１４６ａ，１４６ｂは、第１の端部１０１のところの湾曲領域１４７まで延びるのが良い。さらに、幾つかの実施形態では、湾曲領域１４７は、第１の端部１０１のところの側部１４６ａ，１４６ｂから香支持体１７０に隣接したところまで延びるのが良く、香支持体１７０の孔１７５は、湾曲領域１４７の一部分を貫通して位置決めされている。
【００２７】
幾つかの実施形態では、香炉１００は、集灰領域を含むのが良くまたは有するのが良い。幾つかの他の実施形態では、別個の集灰部分が別個のベース構造体に取り付けられるのが良い。使用中、線香５０の任意の部分が燃焼を生じている間、燃焼中に生じた灰生成物または他のデブリが重力を受けて線香５０から落下し、そして集灰領域中に移動することができる。幾つかの実施形態では、集灰領域に達した灰は、ユーザには見えないのが良い。幾つかの実施形態では、集灰領域は、収集した灰生成物を空にして処分することができるようにするために香炉１００の他の部分から容易に分離可能であるよう構成されているのが良い。例えば、幾つかの実施形態では、灰孔１６０は、燃焼生成物（例えば、線香５０からの灰または燃えさし）を後で処分できるように受け入れ、収集し、かつ／あるいは貯蔵することができるよう位置決めされているのが良い。例えば、幾つかの実施形態では、線香５０からの材料は、灰孔１６０の任意の部分を通ってベース１１０中に落下するのが良い。図４を参照すると、幾つかの実施形態では、ベース１１０は、ベース１１０の灰トレー１３５の周囲に沿ってぐるりと延びる内周壁１３０を有するのが良い。さらに、上側部分１４０は、内周壁１３０の近くでベース１１０の外周部に沿ってぐるりと延びる棚部１２０の近くに位置しまたはこれに結合された状態でベース１１０上に位置決めされるのが良い。説明したように（そして、図１および図２に示されているように）位置決めされたとき、香炉１００のベース１１０は、灰または他の燃焼生成物の収集領域として機能することができ、線香５０の香焚き済みのまたはまだ燃えていない部分が灰孔１６０を通って灰トレー１３５中に移動する。
【００２８】
香炉１００のアーキテクチャにより、線香５０は、線香５０の香焚き中の端または部分を開放空間中に浮かした状態で設ける一方で線香５０からの灰および他の固形廃棄物の最適な捕捉を可能にすることによって効率的に燃えるまたは焚けることができるようにすることができる。さらに、幾つかの実施形態では、香支持体１７０の１つまたは２つ以上の内面または構造体により線香５０を大部分または全体的に空所１４５内に位置決めすることができ、その結果、線香５０の香焚き中の部分が全体として空所１４５内に入っているままであり、香炉１００から外に出ることがなく、もし外に出ていれば安全上の問題が生じる場合がある。線香５０の位置を維持することができる内部構造体が図５および図６ならびに図７Ａおよび図７Ｂに詳細に記載されており、かかる内部構造体について以下の段落において詳細に説明する。
【００２９】
図５は、本発明の幾つかの実施形態による図１および図２の香炉１００の平面図であり、図６は、本発明の幾つかの実施形態による図５に示されている断面線に沿って取った断面図である。さらに、図７Ａは、本発明の幾つかの実施形態による図６に示された香炉のホルダ部分の拡大図であり、図７Ｂは、本発明の幾つかの実施形態による香炉のホルダ部分内に位置決めされた線香の一部分を示す図７Ａの香炉の端部の拡大図である。上述したように、線香５０は、孔１７５を通って香支持体１７０中に挿入されるのが良い。少なくとも部分的に孔１７５の内部構造および／または挿入状態の線香５０の形状に基づいて、線香５０は、香炉１００に対して種々の角度をなして位置決め可能である。例えば、幾つかの実施形態では、孔１７５は、香炉１００の第１の端部１０１を貫通して形成されるとともに少なくとも部分的に孔１７５を境界付ける壁を有する上側部分１８０および下側部分１９０ならびに灰トレー１３５に結合された結合状態のチャネル２２５によって境界付けられるのが良い。幾つかの実施形態では、孔１７５は、少なくとも１つの空所１４５の入口を形成することができ、この入口は、上側部分１８０および下側部分１９０の壁または表面の組み合わせによって作られる。幾つかの実施形態では、孔１７５は、全体として丸形の断面輪郭形状を有するのが良い。他の実施形態では、断面輪郭形状は、長円形または楕円形であるのが良い。他の実施形態では、孔１７５の断面輪郭形状の少なくとも一部分は、正方形または長方形の輪郭形状を含むのが良い。他の実施形態では、真っ直ぐな縁区分および丸形の縁区分を備えた孔１７５を有する。
【００３０】
幾つかの実施形態では、孔１７５は、チャネル２００の一部分および／または入口を形成するのが良く、チャネル２００は、孔１７５からインターフェース（点線の平面Ａとして示されている）への結合状態のチャネル２２５に向かって延びるのが良い。さらに、チャネル２００は、灰および他のデブリを集めるための香炉の位置区分または領域（例えば、灰トレー１３５）に流体結合されるのが良い。幾つかの実施形態では、孔１７５は、空所１４５の領域１４７のところの孔１７５から結合状態のチャネル２２５まで延びる上壁１８２によって境界付けられるのが良い。幾つかの実施形態では、結合状態のチャネル２２５は、上側部分１８０から灰トレー１３５に向かって延びる壁１８４と下壁１９２から灰トレー１３５まで延びる下側部分１９０の壁１９４との間に形成されるのが良い。
【００３１】
本発明の幾つかの実施形態では、チャネル２００（壁１８２，１９２によって形成されるとともに／あるいは境界付けられている）は、結合状態のチャネル２２５から傾斜しているのが良くまたは角度が付けられているのが良い。例えば、幾つかの実施形態では、平面Ａから取った角度Ｐは、約３０°であるのが良い。幾つかの他の実施形態では、平面Ａから取った角度Ｐは、約３０°以上であっても良くまたは約３０°未満であっても良い。例えば、幾つかの実施形態では、角度Ｐは、約０°〜１５°であるのが良い。幾つかの他の実施形態では、角度Ｐは、約１５°〜約３０°であるのが良い。幾つかの別の実施形態では、角度Ｐは、約３０°以上であるのが良い。例えば、幾つかの実施形態では、角度Ｐは、約３０°〜約４５°であるのが良い。幾つかの他の実施形態では、角度Ｐは、約４５°〜約６０°であるのが良い。本発明の幾つかの別の実施形態では、角度Ｐは、約６０°〜約８０°であるのが良い。別の実施形態では、角度Ｐは、約８０°以上であるが、約９０°以下であるのが良い。
【００３２】
図７Ｂを参照すると、幾つかの実施形態では、線香５０の第１の端部５５は、孔１７５に通して挿入されるのが良い。幾つかの実施形態では、ユーザは、線香５０を滑らせてチャネル２００中に入れるのが良く、ついには、第１の端部５５の少なくとも一部分が接触領域１８２ａのところで上壁１８２と結合する。上述の角度Ｐおよび平面Ａに対する角度Ｐの変形例に照らして、当業者であれば理解できるように、接触領域１８２ａは、多くの変数に基づいて位置を変えることができ、かかる変数としては、角度Ｐ、線香５０をチャネル２００中に挿入する程度、線香５０の第１の端部５５の幾何学的形状、またはこれらの組み合わせが挙げられるが、これらには限定されない。
【００３３】
幾つかの実施形態では、線香５０は、チャネル２００中への挿入に続き、全体として安定した位置を占めたままであるのが良い。重力により、線香５０の質量は、接触領域１８２ａで上壁１８２に力を及ぼすとともに領域１４７とのインターフェースのところで下壁１９２に力を及ぼすことができる。さらに、線香５０（線香５０の外面の端部５５か別の部分かのいずれかのところで、例えば端部５５に隣接して位置する領域５２のところで）と上壁１８２の接触領域１８２ａとの間で働く摩擦および／または線香５０の外面と領域１４７とのインターフェースのところで下壁１９２との間の摩擦接触は、線香５０を全体として安定した位置に維持することができる。幾つかの別の実施形態では、線香５０は、ユーザが部分的に線香５０を挿入したチャネル２００中への挿入に続き全体として安定した位置を占めたままでいることができる。この場合、線香５０の外面と領域１４７とのインターフェースのところで下壁１９２に結合された領域５２との間に働く摩擦は、線香５０を全体として安定した位置に維持することができる。
【００３４】
幾つかの実施形態では、線香５０の位置または位置の安定性は、線香５０の長さおよび／または質量に基づいて変わる場合がある。幾つかの実施形態では、あらかじめ挿入された線香５０の長さおよび／または質量が一端減少すると（例えば、香焚きに起因して）、線香５０は、孔１７５およびチャネル２００内でずれ始める場合がある。例えば、線香５０の外面と下壁１９２の表面との間に働く摩擦と線香５０の外面との間に働く摩擦接触と第１の端部５５と接触領域１８２ａとの間に働く摩擦接触の組み合わせにより、線香５０が安定した位置に保たれ、線香５０の位置は、線香５０の長さおよび質量が、香焚きに続く質量の減少に起因して減少すると不安定になる場合がある。例えば、幾つかの実施形態では、重力に起因して、線香５０の質量が減少すると、それにより端部５５のところで上壁１８２におよび／または下壁１９２の表面（例えば、領域１４７とのインターフェースのところに位置する）に及ぼされる力が小さくなり、その結果、線香５０が動く場合がある。幾つかの実施形態では、線香５０の直径または結果としての燃えた長さおよび／または組成に応じて、線香５０の外面はまた、上壁１８０の接触領域１８２ａとの結合を解除する場合がある。幾つかの別の実施形態では、線香５０の位置は、ユーザが線香５０を部分的に挿入したチャネル２００中への挿入に続いて不安定になる場合があり、したがって、線香５０の外面（例えば、領域５２）と下壁１９２の表面との間に働く摩擦および／または線香５０の外面と上壁１８２のところの端部５５との間に働く摩擦接触は、線香５０が長くかつ／あるいは大きな質量を有しているとき、通常、線香５０を安定した位置に維持する。この場合、線香５０が香焚きされるとともにその長さおよび質量が減少しているとき、線香５０の一部分と領域１４７とのインターフェースのところの下壁１９２の表面との間の摩擦および／または端部５５のところの線香５０と上壁１８２との間の摩擦接触は、減少する場合がありまたはもはや存在せず、それにより線香５０の不安定性および／または動きが生じる。幾つかの実施形態では、線香５０の長さおよび質量は、線香５０の残りの部分の位置の安定性がもはや安定ではなくなる程度まで減少する場合がある（香焚きに起因して）。この場合、線香５０の残りの部分は、上壁１８２から結合を解除する場合があり、そして下壁１９２の表面上を滑るとともに／あるいは違ったやり方で動く場合があり、そしてチャネル２００中に移動する場合がある。
【００３５】
幾つかの実施形態では、香支持体１７０の１つまたは２つ以上の部分、孔１７５、チャネル２００、および／または結合状態のチャネル２２５は、作用が様々である場合があるが、ほぼ同じまたは実質的に同一の機能を提供する。例えば、幾つかの実施形態では、図８は、本発明の幾つかの別の実施形態による香支持体８７０の断面図である。香支持体８７０は、線香５０の一部分が香支持体８７０内に位置決めされた状態で示されている。幾つかの実施形態では、線香５０は、香支持体８７０の１つまたは２つ以上の内壁または内面相互間で香支持体８７０に形成された孔８７５を通って香支持体８７０中に挿入されるのが良い。幾つかの実施形態では、孔８７５は、全体として丸形の断面輪郭形状を有するのが良い。他の実施形態では、断面輪郭形状は、長円形または楕円であるのが良い。他の実施形態では、孔８７５の断面輪郭形状の少なくとも一部分は、正方形または長方形の輪郭形状を含むのが良い。他の実施形態は、真っ直ぐな縁区分および丸い縁区分を備えた孔８７５を含む。孔８７５を含む香支持体８７０のこの内部構造に少なくとも部分的に基づいて、線香５０は、香炉（例えば、香炉１００）の一部として香支持体８７０に対して種々の角度をなして位置決めされるのが良い。
【００３６】
幾つかの実施形態では、孔８７５は、上側区分８８０および下側区分８９２の少なくとも一部分によって形成されるのが良く、上側区分８８０および下側区分８９２は、孔８７５および灰トレー８３５に流体結合された内部空所８２５を少なくとも部分的に境界付ける壁および表面を有する。幾つかの実施形態では、孔８７５は、少なくとも１つの空所８２５の入口を形成することができ、この入口は、上側部分８８０および下側部分８９２の壁または表面の組み合わせによって作られる。例えば、幾つかの実施形態では、香支持体８７０は、第１の端部８０１のところで端区分８８５に結合された第１の端部８０１から内方に延びる上側区分８８０を有するのが良い。幾つかの実施形態では、端区分８８５は、上側区分８８０から全体として垂直にかつ下側区分８９２に全体として平行に延びる状態で位置決めされるのが良い。幾つかの実施形態では、上側区分８８０および端区分８８５は、内部空所８２５を少なくとも部分的に包囲するのが良い。さらに、幾つかの実施形態では、内部空所８２５は、上側区分８８０の頂側部８８１および頂側部８８１から全体として垂直に延びる端区分８８５の端側部８８６を有するのが良い。幾つかの実施形態では、下側区分８９２は、端側部８８６と反対側の内部空所の別の側部を形成するのが良い。幾つかの実施形態では、上側区分８８０の第２の端８７８のところで、端壁８７９が端側部８８６に全体として垂直に内部空所８２５に向かって延びるのが良い。幾つかの実施形態では、端壁８７９は、孔壁８４５と結合するのが良い。孔壁８４５は、内部空所８２５に向かって内方に延びるのが良く、そして孔８７５を形成する下側区分８９２の孔壁８９３から分離した状態で頂側部８８１と結合するのが良い。
【００３７】
図８の非限定的な実施形態に示されているように、線香５０は、孔壁８４５，８９３によって支持された状態で孔８７５に通して位置決めされるのが良い。幾つかの実施形態では、線香５０は、線香５０の領域５２が全体として内部空所８２５内に位置決めされた状態でかつ端部５５が灰トレー８３５中に延びて空所壁８３７と結合した状態で図示のように位置決めされるのが良い。他の実施形態では、線香５０は、孔壁８４５，８９３によって支持された状態で孔８７５を通って位置決めされるのが良く、領域５２は、全体として、内部空所８２５内に位置決めされかつ端部５５が灰トレー８３５および／または内部空所８２５中に延びる一方で端側部８８６および／または空所壁８３７のいずれにも結合していない。図示のように、線香５０が孔壁８４５，８９３の任意の部分相互間の距離と実質的に同一またはほぼ同じである外径を有する場合、線香５０は、平面Ａ２（内部空所８２５と灰トレー８３５との間のインターフェースから成る）から角度Ｐ２で傾斜した状態で位置決めされるのが良く、角度Ｐ２は、頂側部８８１からの孔壁８４５の角度と実質的に同一である。当業者であれば理解できるように、角度Ｐ２は、多くの要因に基づいて様々であって良く、かかる要因としては、線香５０の直径および／または形状、線香５０が内部空所８２５中に延びる程度、孔８７５の直径、および平面Ａ２に対する孔壁８４５の角度が挙げられるが、これらには限定されない。例えば、幾つかの実施形態では、端壁８７９の長さおよび／または頂側部８８１の長さは、様々であって良く、それにより平面Ａ２に対する孔壁８４５の角度が変化する場合がある（図示の実施形態は、上述した角度Ｐ２と実質的に同一である）。幾つかの実施形態では、平面Ａ２に対する孔壁８４５の角度は、図示のように約４５°であるのが良い。幾つかの実施形態では、平面Ａ２に対する孔壁８４５の角度は、約４５°以上であっても良く約４５°以下であっても良い。例えば、幾つかの実施形態では、平面Ａ２に対する孔壁８４５の角度は、図示のように４５°未満であるのが良い。幾つかの他の実施形態では、平面Ａ２に対する孔壁８４５の角度は、４５°を超えるのが良い。
【００３８】
幾つかの実施形態では、線香５０は、孔８７５中への挿入に続き、全体として安定した位置を占めたままであるのが良い。重力により、線香５０の質量は、孔壁８４５，８９３に力を及ぼすことができる。さらに、線香５０の外面（線香５０の外面の端部５５か別の部分かのいずれかのところで、例えば孔壁８４５，８９３に結合する領域のところで）の間の摩擦接触は、線香５０を全体として安定した位置に維持することができる。幾つかの実施形態では、線香５０の位置または位置の安定性は、線香５０の長さおよび／または質量に基づいて変わる場合がある。幾つかの実施形態では、あらかじめ挿入された線香５０の長さおよび／または質量が一端減少すると（例えば、香焚きに起因して）、線香５０は、孔８７５および／または内部空所８２５および／または空所８３７内で動き始める場合がある。例えば、いくつの実施形態では、線香５０の外面と壁８８６，９３７の表面との間に働く摩擦および／または線香５０の外面と孔８７５との間（例えば線香５０と孔壁８４５，８９３のうちのいずれか一方または両方との間）に働く摩擦により、線香５０を安定した位置に保つことができ、線香５０の位置は、香焚き中に線香５０の長さおよび質量が減少すると不安定になり始める場合がある。例えば、幾つかの実施形態では、重力に起因して、線香５０の質量が減少すると、それにより壁８８６，９３７，８４５，８９３のうちの任意のものに及ぼされる力が小さくなり、その結果、線香５０が動く。幾つかの別の実施形態では、線香５０の直径または結果としての香焚き済み長さおよび／または組成に応じて、線香５０の外面はまた、壁８８６，９３７，８４５，８９３のうちの任意のものとの結合を解除する場合がある。幾つかの実施形態では、線香５０の長さおよび質量は、線香５０の残りの部分の位置の安定性がもはや安定ではなくなる程度まで減少する場合があり、線香５０は、壁８８６，９３７，８４５，８９３のうちの任意のものから結合解除することができ、そして内部空所８２５および灰トレー８３５中に落下することができる。
【００３９】
図９は、本発明の幾つかの別の実施形態による香支持体９７０の断面図である。香支持体９７０は、線香５０の一部分が香支持体９７０内に位置決めされた状態で示されている。幾つかの実施形態では、線香５０は、香支持体９７０の１つまたは２つ以上の内壁または内面相互間で香支持体９７０に形成された孔９７５を通って香支持体９７０中に挿入されるのが良い。幾つかの実施形態では、孔９７５は、全体として丸形の断面輪郭形状を有するのが良い。他の実施形態では、断面輪郭形状は、長円形または楕円であるのが良い。他の実施形態では、孔９７５の断面輪郭形状の少なくとも一部分は、正方形または長方形の輪郭形状を含むのが良い。他の実施形態は、真っ直ぐな縁区分および丸い縁区分を備えた孔９７５を含む。孔９７５を含む香支持体９７０のこの内部構造に少なくとも部分的に基づいて、線香５０は、香炉（例えば、香炉１００）の一部として香支持体９７０に対して種々の角度をなして位置決めされるのが良い。幾つかの実施形態では、孔９７５は、上側区分９８０および下側区分９９２の少なくとも一部分によって形成されるのが良く、上側区分９８０および下側区分９９２は、孔９７５および灰トレー９３５に流体結合された内部空所９２５を少なくとも部分的に境界付ける壁および表面を有する。幾つかの実施形態では、孔９７５は、少なくとも１つの空所９２５の入口を形成することができ、この入口は、上側部分９８０および下側部分９９２の壁または表面の組み合わせによって作られる。例えば、幾つかの実施形態では、香支持体９７０は、第１の端部９０１のところで端区分９８５に結合された第１の端部９０１から内方に延びる上側区分９８０を有するのが良い。幾つかの実施形態では、端区分９８５は、上側区分９８０から全体として垂直にかつ下側区分９９２に全体として平行に延びる状態で位置決めされるのが良い。幾つかの実施形態では、上側区分９８０および端区分９８５は、内部空所９２５を少なくとも部分的に包囲するのが良い。さらに、幾つかの実施形態では、内部空所９２５は、上側区分９８０の頂側部９８１および頂側部９８１から全体として垂直に延びる端区分９８５の端側部９８６を有するのが良い。幾つかの実施形態では、下側区分９９２は、端側部９８６と反対側の内部空所の別の側部を形成するのが良い。幾つかの実施形態では、上側区分９８０の第２の端９７８のところで、端壁９７９が端側部９８６に全体として垂直に内部空所９２５に向かって延びるのが良い。幾つかの実施形態では、端壁９７９は、孔壁９４５と結合するのが良い。孔壁９４５は、内部空所９２５に向かって内方に延びるのが良く、そして孔９７５を形成する下側区分９９２の孔壁９９３から分離した状態で頂側部９８１と結合するのが良い。図９の非限定的な実施形態では、先の尖っていないまたは先の尖った端部９４５ａを形成するよう上側区分９８０から遠ざかって延びる延長部が図示されている。幾つかの実施形態では、端部９４５ａは、全体として丸形のかつ／あるいは平坦な表面を有するのが良い。
【００４０】
図９の非限定的な実施形態に示されているように、線香５０は、孔壁９９３および端部９４５ａによって支持された状態で孔９７５に通して位置決めされるのが良い。幾つかの実施形態では、線香５０は、領域５２が全体として内部空所９２５内に位置決めされた状態でかつ線香５０の端部５５が灰トレー９３５中に延びて空所壁９３７と結合した状態で図示のように位置決めされるのが良い。他の実施形態では、線香５０は、孔壁９９３および端部９４５ａによって支持された状態で孔９７５を通って位置決めされるのが良く、領域５２は全体として内部空所９２５内に位置決めされかつ端部５５は灰トレー９３５および／または内部空所９２５中に延びる一方で端側部９８６および／または空所壁９３７のいずれにも結合していない。図示のように、線香５０が孔壁９９３および端部９４５ａの任意の部分相互間の距離と実質的に同一またはほぼ同じである外径を有する場合、線香５０は、平面Ａ３（内部空所９２５と灰トレー９３５との間のインターフェースから成る）から角度Ｐ３で傾斜した状態で位置決めされるのが良く、角度Ｐ３は、頂側部９８１からの延長部９４５の角度と実質的に同一である。当業者であれば理解できるように、角度Ｐ３は、多くの要因に基づいて様々であって良く、かかる要因としては、線香５０の直径および／または形状、線香５０が内部空所９２５中に延びる程度、孔９７５の直径、延長部９４５および／または端部９４５ａの幾何学的形状、および平面Ａ３に対する孔壁９９３の形状または角度（平面Ａ２に対する壁８４５に関して詳述した形状または角度とほほ同じ）が挙げられるが、これらには限定されない。
【００４１】
幾つかの実施形態では、線香５０は、孔９７５中への挿入に続き、全体として安定した位置を占めたままであるのが良い。重力により、線香５０の質量は、孔壁９９３および延長部９４５の端部９４５ａに力を及ぼす。さらに、線香５０の外面（線香５０の外面の端部５５か別の部分かのいずれかのところで、例えば孔壁９９３および端部９４５ａに結合された領域のところで）の間で働く摩擦は、線香５０を全体として安定した位置に維持することができる。幾つかの実施形態では、線香５０の位置または位置の安定性は、線香５０の長さおよび／または質量に基づいて変わる場合がある。幾つかの実施形態では、あらかじめ挿入された線香５０の長さおよび／または質量が一端減少すると（例えば、香焚きに起因して）、線香５０は、孔９７５および／または内部空所９２５および／または空所９３７内で動き始める場合がある。例えば、いくつの実施形態では、線香５０の外面と壁９８６，９３７の表面との間に働く摩擦および／または線香５０の外面と孔９７５との間（例えば線香５０と孔壁９９３および端部９４５ａのうちのいずれか一方または両方との間）に働く摩擦により、線香５０を安定した位置に保つことができ、線香５０の位置は、香焚き中に線香５０の長さおよび質量が減少すると不安定になる場合がある。幾つかの実施形態では、線香５０の質量が減少すると、それにより壁９８６，９３７，９９３および端部９４５ａのうちの任意のものに及ぼされる力が小さくなり、その結果、線香５０が動く場合がある。幾つかの別の実施形態では、線香５０の直径または結果としての香焚き済み長さおよび／または組成に応じて、線香５０の外面はまた、壁９８６，９３７，９９３および端部９４５ａのうちの任意のものとの結合を解除する場合がある。幾つかの実施形態では、線香５０の長さおよび質量は、線香５０の残りの部分の位置の安定性がもはや安定ではなくなる程度まで減少する（香焚きに起因して）場合があり、線香５０は、壁９８６，９３７，９９３および端部９４５ａのうちの任意のものから結合解除することができ、そして内部空所９２５および灰トレー９３５中に落下することができる。
【００４２】
図１０は、本発明の幾つかの別の実施形態による香支持体１０７０の断面図である。香支持体１０７０は、線香５０の一部分が香支持体１０７０内に位置決めされた状態で示されている。幾つかの実施形態では、線香５０は、香支持体１０７０の１つまたは２つ以上の内壁または内面相互間で香支持体１０７０に形成された孔１０７５を通って香支持体１０７０中に挿入されるのが良い。幾つかの実施形態では、孔１０７５は、全体として丸形の断面輪郭形状を有するのが良い。他の実施形態では、断面輪郭形状は、長円形または楕円であるのが良い。他の実施形態では、孔１０７５の断面輪郭形状の少なくとも一部分は、正方形または長方形の輪郭形状を含むのが良い。他の実施形態は、真っ直ぐな縁区分および丸い縁区分を備えた孔１０７５を含む。孔１０７５を含む香支持体１０７０のこの内部構造に少なくとも部分的に基づいて、線香５０は、香炉（例えば、香炉１００）の一部として香支持体１０７０に対して種々の角度をなして位置決めされるのが良い。幾つかの実施形態では、孔１０７５は、上側区分１０８０および下側区分１０９２の少なくとも一部分によって形成されるのが良く、上側区分１０８０および下側区分１０９２は、孔１０７５および灰トレー１０３５に流体結合された内部空所１０２５を少なくとも部分的に境界付ける壁および表面を有する。
【００４３】
幾つかの実施形態では、孔１０７５は、少なくとも１つの空所１０２５の入口を形成することができ、この入口は、上側部分１０８０および下側部分１０９２の壁または表面の組み合わせによって作られる。例えば、幾つかの実施形態では、香支持体１０７０は、第１の端部１００１のところで端区分１０８５に結合された第１の端部１００１から内方に延びる上側区分１０８０を有するのが良い。幾つかの実施形態では、端区分１０８５は、上側区分１０８０から全体として垂直にかつ下側区分１０９２に全体として平行に延びる状態で位置決めされるのが良い。幾つかの実施形態では、上側区分１０８０および端区分１０８５は、内部空所１０２５を少なくとも部分的に包囲するのが良い。さらに、幾つかの実施形態では、内部空所１０２５は、上側区分１０８０の頂側部１０８１および頂側部１０８１から全体として垂直に延びる端区分１０８５の端側部１０８６を有するのが良い。幾つかの実施形態では、下側区分１０９２は、端側部１０８６と反対側の内部空所の別の側部を形成するのが良い。幾つかの実施形態では、上側区分１０８０の第２の端１０７８のところで、端壁１０７９が端側部１０８６に全体として垂直に内部空所１０２５に向かって延びるのが良い。幾つかの実施形態では、第２の端部１０７８は、壁１０４５を有する。幾つかの実施形態では、壁１０４５は、下側区分１０９２に向かって延びるのが良く、そして孔１０７５を形成する下側区分１０９２の孔壁１０９３から分離した状態で頂側部１０８１と結合するのが良い。
【００４４】
図１０の非限定的な実施形態では、壁１０４５は、端部１０４５ａを備えて延びた状態で示されており、端部１０４５ａは、頂側部１０８１に結合された全体として丸形のかつ／あるいは平坦な表面を有するのが良い。図１０の非限定的な実施形態に示されているように、線香５０は、孔壁１０９３によって支持された状態で孔１０７５を通ってそして端部１０４５ａに当てられないで位置決めされるのが良く、後には、線香５０の外面と壁１０４５との間には隙間が残る。当業者であれば認識されるように、線香５０が孔壁１０９３の任意の部分と端部１０４５ａとの間の距離と実質的に同一でありまたはほぼ等しく、端部１０４５ａが線香５０に結合された実施形態では、線香５０の位置および安定性挙動は、図９に示された実施形態に関して上述した位置および安定性挙動とほぼ同じまたは同一であろう。幾つかの実施形態では、線香５０は、領域５２が全体として内部空所１０２５内に位置決めされた状態でかつ端部５５が灰トレー１０３５中に延びて空所壁１０３７と結合した状態で図示のように位置決めされるのが良い。他の実施形態では、線香５０は、孔壁１０９３によって支持された状態で孔１０７５を通って位置決めされるのが良く、領域５２は全体として内部空所１０２５内に位置決めされかつ端部５５は灰トレー１０３５および／または内部空所１０２５中に延びる一方で端側部１０８６および／または空所壁１０３７のいずれにも結合していない。
【００４５】
図示の本発明の幾つかの実施形態では、線香５０は、平面Ａ４（内部空所１０２５と灰トレー１０３５とのインターフェースを含む）から角度Ｐ４とほぼ同一の角度をなして傾けられた孔壁１０９３上に位置決めされるのが良く、したがって、平面Ａ４に対する線香５０の角度は、角度Ｐ４とほぼ同一である。当業者であれば理解できるように、角度Ｐ４は、多くの要因に基づいて様々であって良く、かかる要因としては、線香５０の直径および／または形状、線香５０が内部空所１０２５中に延びる程度、孔１０７５の直径、壁９４５の長さおよび／または端部１０４５ａの幾何学的形状、および平面Ａ４に対する孔壁１０９３の形状または角度（平面Ａ２に対する壁８４５の変形例に関して詳述した形状または角度とほほ同じ）が挙げられるが、これらには限定されない。
【００４６】
幾つかの実施形態では、線香５０は、線香５０の質量が孔壁１０９３に力を及ぼすので、孔１０７５中への挿入に続き、全体として安定した位置を占めたままであるのが良い。さらに、線香５０の外面（線香５０の外面の端部５５か別の部分かのいずれかのところで、例えば孔壁に結合された領域のところで）の間で働く摩擦は、線香５０を全体として安定した位置に維持することができる。幾つかの実施形態では、線香５０の位置または位置の安定性は、線香５０の長さおよび／または質量に基づいて変わる場合がある。幾つかの実施形態では、あらかじめ挿入された線香５０の長さおよび／または質量が一端減少すると（例えば、香焚きに起因して）、線香５０は、孔１０７５および／または内部空所１０２５および／または空所１０３７内で動き始める場合がある。例えば、線香５０の外面と壁１０８６，１０３７の表面との間に働く摩擦および／または線香５０の外面と孔１０７５との間（例えば線香５０と孔壁１０９３との間）に働く摩擦により、線香５０を安定した位置に保つことができ、線香５０の位置は、香焚き中に線香５０の長さおよび質量が減少すると不安定になり始める場合がある。例えば、幾つかの実施形態では、重力に起因して、線香５０の質量が減少すると、それにより壁１０８６，１０３７，１０９３のうちの任意のものに及ぼされる力が小さくなり、その結果、線香５０が動く場合がある。幾つかの別の実施形態では、線香５０の直径または結果としての香焚き済み長さおよび／または組成に応じて、線香５０の外面はまた、壁１０８６，１０３７，１０９３のうちの任意のものとの結合を解除する場合がある。幾つかの実施形態では、線香５０の長さおよび質量は、線香５０の残りの部分の位置の安定性がもはや安定ではなくなる程度まで減少する（香焚きに起因して）場合があり、線香５０は、壁１０８６，１０３７，１０９３のうちの任意のものから結合解除することができ、そして内部空所１０２５および灰トレー１０３５中に落下することができる。
【００４７】
図１１は、別の実施形態としての香炉１１００の正面上から見た斜視図であり、図１２は、本発明の幾つかの実施形態による香炉１１００の斜視図である。別の図が図１５〜図１８に示されており、これらについては以下に更に詳細に説明する。本発明の幾つかの実施形態による香炉１１００の斜視図である図１１および図１２を最初に参照すると、幾つかの実施形態では、香炉１１００は、観察者に支持状態の線香（例えば、先に図示するとともに説明した線香５０）の図を提供する構造を有するのが良い。図１１および図１２に示された実施形態としての香炉１１００の開放アーキテクチャにより、ユーザは、燃焼中における香炉内の香材（例えば、線香５０）を見ることができ、揮発性の燃焼生成物および／または煙の目に見える放出を潜在的に見ることができる。例えば、幾つかの実施形態では、香炉１１００は、線香５０を上側部分１１４０内に保持することができ、それにより燃焼が進むことができるようにし、他方、揮発性燃焼生成物および／または煙を空気中に放出することができる。幾つかの実施形態では、香炉１１００は、上側部分１１４０の少なくとも一部分を支持するベース１１１０を有するのが良い。幾つかの実施形態では、香炉１１００は、ベース１１１０に少なくとも部分的に結合された上側部分１１４０を有する。幾つかの実施形態では、ベース１１１０と上側部分１１４０は、実質的に継ぎ目なしの状態で結合することができ、ベース１１１０から上側部分１１４０への移行部は、ユーザ（図示せず）にはほとんど見えずまたは全く見えない。幾つかの実施形態では、ベース１１１０と上側部分１１４０は、目に見える隙間または継ぎ目１１０７を提供するよう結合されても良い。さらに、幾つかの実施形態は、香支持体１１７０を含む第１の端部１１０１および孔１１７５に通して香支持体１１７０中に挿入することができる線香５０を有する。幾つかの実施形態では、孔１１７５は、本明細書において説明する香炉１１００のハウジングまたは幾つかの部分のうちの任意のものに形成されるのが良くまたは位置決めされるのが良い。図示のように、線香５０は、香炉１１００の第２の端部１１０２に向かって香炉１１００の少なくとも一部の長さにわたって延びるのが良い。幾つかの実施形態では、上側部分１１４０は、上側部分１１４０の少なくとも部分的な長さにわたって延びるトラフ、空所、または孔を有するのが良い。例えば、幾つかの実施形態では、上側部分１１４０は、空所１１４５を有するのが良い。
【００４８】
香炉１１００のアーキテクチャにより、線香５０は、線香５０の香焚き中の端または部分を開放空間中に浮かした状態で設ける一方で線香５０からの灰および他の固形廃棄物の最適な捕捉を可能にすることによって効率的に燃えるまたは焚けることができるようにすることができる。さらに、香支持体１１７０の１つまたは２つ以上の内面または構造体により線香５０を大部分または全体的に空所１１４５内に位置決めすることができ、その結果、線香５０の香焚き中の部分が全体として空所１１４５内に入っているままであり、香炉１１００から外に出ることがない。幾つかの実施形態では、空所１１４５は、香支持体１１７０から遠ざかって延びる第１の端部１１０１から第２の端部１１０２に向かって延びるのが良い。幾つかの実施形態では、空所１１４５は、図示のように閉鎖端１１０４を有するのが良い。他の実施形態では、空所１１４５は、閉鎖端１１０４が存在しない場合または寸法または形状が小さい場合、全体として開いているのが良い。幾つかの実施形態では、線香５０は、香炉１１００の第２の端部１１０２の閉鎖端１１０４まで、これに隣接したところまで、あるいはこの近くのところまで延びるのが良い。他の実施形態では、空所１１４５は、線香５０が第２の端部１１０２を越えて延びる（すなわち、空所１１４５の外部に延びる）ことができるようにする開口端（図示せず）を有するのが良い。
【００４９】
本発明の幾つかの実施形態による図１１および図１２の香炉１１００の端部の拡大切除斜視図である図１３および本発明の幾つかの実施形態による線香を含む図１１および図１２の香炉１１００の分解組立図である図１４を参照すると、幾つかの実施形態では、空所１１４５は、上側区分１１４０に位置決めされた灰孔１１６０の互いに反対側の縁まで内方に延びる２つの互いに反対側に位置した対向する結合側部１１５０ａ，１１５０ｂを有するのが良い。図示のように取り付けられると、線香５０は、香炉１１００の第２の端部１１０２に向かって灰孔１１６０の少なくとも一部の長さにわたって延び、かつ灰孔１１６０と全体として整列するとともに平行であるのが良い。さらに、図１３に示されているように、幾つかの実施形態では、側部１１５０ａ，１１５０ｂは、第１の端部１１０１のところの壁１１４７まで延びるのが良い。幾つかの実施形態では、壁１１４７は、香支持体１１７０に隣接して位置しまたはこれに結合された第１の端部１１０１のところで側部１１５０ａ，１１５０ｂから延びるのが良く、香支持体１１７０の孔１１７５は、壁１１４７の一部分を貫通して位置決めされるのが良い。
【００５０】
幾つかの実施形態では、香炉１１００は、灰孔１１６０に流通可能に結合された集灰領域を含むのが良くまたは有するのが良い。幾つかの他の実施形態では、別個の集灰部分が別個のベース構造体に取り付けられるのが良い。使用中、線香５０の任意の部分が燃焼を生じている間、燃焼中に生じた灰生成物または他のデブリが重力を受けて線香５０から落下し、そして集灰領域中に移動することができる。幾つかの実施形態では、集灰領域に達した灰は、ユーザには見えないのが良い。幾つかの実施形態では、香炉１１００の集灰領域は、収集した灰生成物を空にして処分することができるようにするために香炉１１００の他の部分から容易に分離可能であるよう構成されているのが良い。例えば、幾つかの実施形態では、灰孔１１６０は、燃焼生成物（例えば、線香５０からの灰または燃えさし）を後で処分できるように受け入れ、収集し、かつ／あるいは貯蔵することができるよう位置決めされているのが良い。例えば、幾つかの実施形態では、線香５０からの材料は、灰孔１１６０の任意の部分を通ってベース１１１０中に落下するのが良い。図１４を参照すると、幾つかの実施形態では、ベース１１１０は、ベース１１１０の灰トレー１１３５の周囲に沿ってぐるりと延びる内周壁１１３７を有するのが良い。幾つかの実施形態では、上側部分１１４０は、灰トレー１１３５の周りに少なくとも部分的に延びる内周壁１１３７の近くでベース１１１０の外周部に沿ってぐるりと延びる棚部１１４２の近くに位置しまたはこれに結合された状態でベース１１１０上に位置決めされるのが良い。説明したように（そして、図１１および図１２に示されているように）位置決めされたとき、香炉１１００のベース１１１０は、灰または他の燃焼生成物の収集領域として機能することができ、線香５０の香焚き済みのまたはまだ燃えていない部分が灰孔１１６０を通って灰トレー１１３５中に移動する。
【００５１】
幾つかの別の実施形態では、香炉１１００は、灰の収集のためまたは予備の線香を含む付属品の貯蔵のための追加の空所を有するのが良い。例えば、幾つかの実施形態では、ベース１１１０は、追加の線香または他の香関連付属品を貯蔵するために使用できる貯蔵空所１２００に通じる開口部１１９０を有するのが良い。幾つかの実施形態では、貯蔵空所１２００は、第１の端部１１０１から少なくとも部分的に第２の端部１１０２まで延びるのが良い。さらに、幾つかの実施形態では、貯蔵空所１２００は、内周壁１１３７に結合された状態で第１の端部１１０１から少なくとも部分的に第２の端部１１０２まで延びる壁１２０５によって灰トレー１０３５から隔てられるのが良い。幾つかの実施形態では、複数の線香６０（図１４に示されている）が貯蔵空所１２００内に位置決めされるのが良く、線香６０のうちの任意の１本が線香５０として使用できる。
【００５２】
線香５０の位置を維持することができる内部構造体が図１５および図１６ならびに図１７および図１８に詳細に記載されている。例えば、図１５は、本発明の幾つかの実施形態による図１１および図１２の香炉１１００の平面図であり、図１６は、本発明の幾つかの実施形態による図１５に示されている断面線に沿って取った断面図である。上述したように、線香５０は、孔１１７５を通って香支持体１１７０中に挿入されるのが良く、少なくとも部分的に孔１１７５の内部構造に基づいて、線香５０は、香炉１１００に対して種々の角度をなして位置決め可能である。例えば、幾つかの実施形態では、孔１１７５は、線香１１００の第１の端部１１０１を貫通して形成されるとともに少なくとも部分的に孔１１７５を境界付ける壁を有する上側部分１４１０および下側部分１４６０ならびに灰トレー１１３５に結合された結合状態の内部空所１４００によって境界付けられるのが良い。幾つかの実施形態では、孔１１７５は、空所１１４５の入口を形成することができ、この入口は、上側部分１４１０および下側部分１４６０の壁または表面の組み合わせによって作られる。幾つかの実施形態では、孔１１７５は、チャネル２０００の一部分を形成するのが良く、チャネル２０００は、孔１１７５からインターフェース（点線の平面Ｂとして示されている）への結合状態の内部空所１４００に向かって延びるのが良い。さらに、幾つかの実施形態では、チャネル２０００は、灰および他のデブリを集めるための香炉の位置区分または領域（例えば、灰トレー１１３５）に流体結合されるのが良い。例えば、幾つかの実施形態では、孔１１７５は、空所１１４５の領域１１４７に隣接したところで開口した孔１１７５から結合状態の内部空所１４００まで延びる上壁１４５０によって境界付けられるのが良い。幾つかの実施形態では、結合状態の内部空所１４００は、上側部分１４１０から灰トレー１１３５に向かって延びる壁１４２５と下壁１４６２から灰トレー１１３５まで延びる下側部分１４６０の壁１４６５との間に形成されるのが良い。幾つかの実施形態では、孔１１７５は、全体として丸形の断面輪郭形状を有するのが良い。他の実施形態では、断面輪郭形状は、長円形または楕円形であるのが良い。他の実施形態では、孔１１７５の断面輪郭形状の少なくとも一部分は、正方形または長方形の輪郭形状を含むのが良い。他の実施形態では、真っ直ぐな縁区分および丸形の縁区分を備えた孔１１７５を有する。
【００５３】
本発明の幾つかの実施形態では、チャネル２０００は、結合状態の内部空所１４００から傾斜しているのが良くまたは角度が付けられているのが良い。例えば、幾つかの実施形態では、平面Ｂから取った角度Ｐ５は、約３０°であるのが良い。幾つかの他の実施形態では、平面Ｂから取った角度Ｐ５は、約３０°以上であっても良くまたは約３０°未満であっても良い。例えば、幾つかの実施形態では、角度Ｐ５は、約０°〜１５°であるのが良い。幾つかの他の実施形態では、角度Ｐ５は、約１５°〜約３０°であるのが良い。幾つかの別の実施形態では、角度Ｐ５は、約３０°以上であるのが良い。例えば、幾つかの実施形態では、角度Ｐ５は、約３０°〜約４５°であるのが良い。幾つかの他の実施形態では、角度Ｐ５は、約４５°〜約６０°であるのが良い。本発明の幾つかの別の実施形態では、角度Ｐ５は、約６０°〜約８０°であるのが良い。別の実施形態では、角度Ｐ５は、約８０°以上であるが、約９０°以下であるのが良い。図１７を参照すると、幾つかの実施形態では、線香５０の第１の端部５５は、孔１１７５に通して挿入されるのが良く、ユーザは、線香５０を滑らせてチャネル２０００中に入れるのが良く、ついには、第１の端部５５の少なくとも一部分が接触領域１４５５のところで上壁１１４０と結合する。上述の角度Ｐ５および平面Ｂに対する角度Ｐ５の変形例に照らして、当業者であれば理解できるように、接触領域１４５５は、多くの変数に基づいて位置を変えることができ、かかる変数としては、角度Ｐ５、線香５０をチャネル２０００中に挿入する程度、第１の端部５５の幾何学的形状、またはこれらの組み合わせが挙げられるが、これらには限定されない。
【００５４】
幾つかの実施形態では、線香５０の質量は、接触領域１４５５で上壁１４５０に力を及ぼすとともに領域１１４７とのインターフェースのところで下壁１４６２に力を及ぼすことができる。さらに、線香５０（線香５０の外面の端部５５か別の部分かのいずれかのところで、例えば端部５５に隣接して位置する領域５２のところで）と上壁１４５０の接触領域１４５５との間で働く摩擦および／または線香５０の外面と壁１１４７とのインターフェースのところで下壁１４６２との間の摩擦接触は、孔１１７５を通る挿入後、線香５０を全体として安定した位置に維持することができる。幾つかの別の実施形態では、線香５０は、ユーザが部分的に線香５０を挿入したチャネル２０００中への挿入に続き全体として安定した位置を占めたままでいることができる。この場合、線香５０の外面と領域１１４７とのインターフェースのところで下壁１４６２に結合された領域５２との間に働く摩擦は、線香５０を全体として安定した位置に維持することができる。幾つかの実施形態では、線香５０の位置または位置の安定性は、線香５０の長さおよび／または質量に基づいて変わる場合がある。幾つかの実施形態では、あらかじめ挿入された線香５０の長さおよび／または質量が一端減少すると（例えば、香焚きに起因して）、線香５０は、孔１１７５およびチャネル２０００内でずれ始める場合がある。例えば、線香５０の外面と下壁１４６２の表面との間に働く摩擦と、線香５０の外面との間に働く摩擦接触と、第１の端部５５と接触領域１４５５との間に働く摩擦接触の組み合わせにより、線香５０が安定した位置に保たれ、線香５０の位置は、線香５０の長さおよび質量が、香焚きに続く質量の減少に起因して減少すると不安定になる場合がある。例えば、幾つかの実施形態では、重力に起因して、線香５０の質量が減少すると、それにより端部５５のところで上壁１４５０および／または下壁１４６２の任意の表面（例えば、領域１１４７とのインターフェースのところに位置する）に及ぼされる力が小さくなり、その結果、線香５０が動く場合がある。幾つかの実施形態では、線香５０の直径または結果としての燃えた長さおよび／または組成に応じて、線香５０の外面はまた、上壁１４５０の接触領域１４５５との結合を解除する場合がある。
【００５５】
幾つかの別の実施形態では、線香５０の位置は、ユーザが線香５０を部分的に挿入したチャネル２０００中への挿入に続いて不安定になる場合があり、したがって、線香５０の外面（例えば、領域５２）と下壁１４６２の表面との間に働く摩擦および／または線香５０の外面と上壁１４５０のところの端部５５との間に働く摩擦接触は、線香５０が長くかつ／あるいは大きな質量を有しているとき、通常、線香５０を安定した位置に維持する。この場合、線香５０が香焚きされるとともにその長さおよび質量が減少しているとき、線香５０の一部分と領域１４４７とのインターフェースのところの下壁１４６２の表面との間の摩擦および／または端部５５のところの線香５０と上壁１４５０との間の摩擦接触は、減少する場合がありまたはもはや存在せず、それにより線香５０の不安定性および／または動きが生じる。幾つかの実施形態では、線香５０の長さおよび質量は、線香５０の残りの部分の位置の安定性が最早安定ではなくなる程度まで減少する場合がある（香焚きに起因して）。この場合、線香５０の残りの部分は、上壁１４５０から結合を解除する場合があり、そして下壁１４６２の表面上を滑るとともに／あるいは違ったやり方で動く場合があり、そしてチャネル２０００中に移動する場合がある。この種の出来事は、図１７および図１８を参照すると理解できる。図１７は、香炉１１１０の端部の拡大図であり、本発明の幾つかの実施形態による香炉のホルダ部分内に位置決めされた線香５０の一部分を示しており、図１８は、香炉１１１０のホルダ部分の拡大図であり、燃えている端部７８が内部空所１４００から灰トレー１１３５に落下している状態で（点線の輪郭７０，７２，７４は、香炉１１１０を通る線香７６の動きを示している）線香７６の残りの部分の表示を示している。
【００５６】
図１９は、別の実施形態としての香炉の正面上から見た斜視図であり、図２０は、本発明の幾つかの実施形態による香炉の斜視図である。別の図が図２１〜図２４に示されており、これらについては以下に更に詳細に説明する。本発明の幾つかの実施形態による香炉１９００の斜視図である図１９および図２０を最初に参照すると、幾つかの実施形態では、香炉１９００は、観察者に支持状態の線香（例えば、先に図示するとともに説明した線香５０）の図を提供する構造を有するのが良い。図１９および図２０に示された実施形態としての香炉１９００の開放アーキテクチャにより、ユーザは、燃焼中における香炉内の香材（例えば、線香５０）を見ることができ、揮発性の燃焼生成物および／または煙の目に見える放出を潜在的に見ることができる。例えば、幾つかの実施形態では、香炉１９００は、線香を上側部分１９４０内に保持することができ、それにより燃焼が進むことができるようにし、他方、揮発性燃焼生成物および／または煙を空気中に放出することができる。幾つかの実施形態では、香炉１９００は、上側部分１９４０の少なくとも一部分を支持することができるベース１９１０を有するのが良い。幾つかの実施形態では、香炉１９００は、ベース１９１０に少なくとも部分的に結合された上側部分１９４０を有する。幾つかの別の実施形態では、香炉１９００は、図示のようにベース１９１０と上側部分１９４０との間に結合された状態で位置決めされた中央部分１９２０を有するのが良い。幾つかの実施形態では、ベース１９１０と中央部分１９２０は、実質的に継ぎ目なしの状態で結合でき、ベース１９１０から中央部分１９２０への移行部は、ユーザ（図示せず）にはほとんど見えずまたは全く見えない。幾つかの別の実施形態では、ベース１９１０と中央部分１９２０は、目に見えるまたは部分的に目に見える隙間または継ぎ目１９０８を提供するよう結合できる。さらに、幾つかの実施形態では、中央部分１９２０と上側部分１９４０は、実質的に継ぎ目なしの状態で結合でき、中央部分１９２０から上側部分１９４０への移行部は、ユーザ（図示せず）にはほとんど見えずまたは全く見えない。幾つかの実施形態では、中央部分１９２０と上側部分１９４０は、目に見えるまたは部分的に目に見える隙間または継ぎ目１９０７を提供するよう結合できる。
【００５７】
幾つかの実施形態は、香支持体１９７０を含む第１の端部１９０１および孔１９７５に通して香支持体１９７０中に挿入することができる線香５０を有する。幾つかの実施形態では、孔１９７５は、本明細書において説明する香炉１９００のハウジングまたは幾つかの部分のうちの任意のものに形成されるのが良くまたは位置決めされるのが良い。図示のように、線香５０は、香炉１９００の第２の端部１９０２に向かって香炉１９００の少なくとも一部の長さにわたって延びるのが良い。幾つかの実施形態では、上側部分１９４０は、上側部分１９４０の少なくとも部分的な長さにわたって延びるトラフ、空所、または孔を有するのが良い。例えば、幾つかの実施形態では、上側部分１９４０は、空所１９４５を有するのが良い。香炉１９００のアーキテクチャにより、線香５０は、線香５０の香焚き中の端または部分を開放空間中に浮かした状態で設ける一方で線香５０からの灰および他の固形廃棄物の最適な捕捉を可能にすることによって効率的に燃えることができまたは香焚き可能である。本発明の幾つかの実施形態では、香支持体１９７０の１つまたは２つ以上の内面または構造体により線香５０を大部分または全体的に空所１９４５内に位置決めすることができ、その結果、線香５０の香焚き中の部分が全体として空所１９４５内に入っているままであり、香炉１９００から外に出ることがない。例えば、幾つかの実施形態では、空所１９４５は、香支持体１９７０から遠ざかって延びる第１の端部１９０１から第２の端部１９０２に向かって延びるのが良い。幾つかの実施形態では、空所１９４５は、図示のように閉鎖端１９０４を有するのが良い。他の実施形態では、空所１９４５は、閉鎖端１９０４が存在しない場合または寸法または形状が小さい場合、全体として開いているのが良い。幾つかの実施形態では、線香５０は、香炉１９００の第２の端部１９０２の閉鎖端１９０４まで、これに隣接したところまで、あるいはこの近くのところまで延びるのが良い。他の実施形態では、空所１９４５は、線香５０が第２の端部１９０２を越えて延びる（すなわち、空所１９４５の外部に延びる）ことができるようにする開口端（図示せず）を有するのが良い。
【００５８】
本発明の幾つかの実施形態による図１９および図２０の香炉１９００の端部の拡大切除斜視図である図２１および線香を含む図１９および図２０の香炉１９００の分解組立図である図２２を参照すると、幾つかの実施形態では、空所１９４５は、上側区分１９４０に位置決めされた灰孔１９６０の互いに反対側の縁まで内方に延びる２つの互いに反対側に位置した対向する結合側部１９４６ａ，１９４６ｂを有するのが良い。幾つかの実施形態では、図示のように取り付けられると、線香５０は、香炉１９００の第２の端部１９０２に向かって灰孔１９６０の少なくとも一部の長さにわたって延び、かつ灰孔１９６０と全体として整列するとともに平行であるのが良い。幾つかの実施形態では、灰孔１９６０は、上側部分１９４０の実質的に中央に位置決めされ、側部１９４６ａ，１９４６ｂは、実質的に同一の幅のものであるのが良い。他の実施形態では、灰孔１９６０は、上側部分１９４０内の実質的に中央に位置決めされるのが良く、側部１９６４ａ，１９６４ｂは、等しくない幅のものであるのが良い。さらに、図２１に示されているように、幾つかの実施形態では、側部１９４６ａ，１９４６ｂは、第１の端部１９０１のところの壁１９４７まで延びるのが良い。幾つかの実施形態では、壁１９４７は、香支持体１９７０に隣接して位置しまたはこれに結合された第１の端部１９０１のところで側部１９４６ａ，１９４６ｂから延びるのが良く、香支持体１９７０の孔１９７５は、壁１９４７の一部分を貫通して位置決めされるのが良い。
【００５９】
幾つかの実施形態では、香炉１９００は、灰孔１９６０に流通可能に結合された集灰領域を含むのが良くまたは有するのが良い。幾つかの他の実施形態では、別個の集灰部分が別個のベース構造体に取り付けられるのが良い。使用中、線香５０の任意の部分が燃焼を生じている間、燃焼中に生じた灰生成物または他のデブリが重力を受けて線香５０から落下し、そして集灰領域中に移動することができる。幾つかの実施形態では、集灰領域に達した灰は、ユーザには見えないのが良い。幾つかの実施形態では、香炉１９００の集灰領域は、収集した灰生成物を空にして処分することができるようにするために香炉１９００の他の部分から容易に分離可能であるよう構成されているのが良い。例えば、幾つかの実施形態では、灰孔１９６０は、燃焼生成物（例えば、線香５０からの灰または燃えさし）を後で処分できるように受け入れ、収集し、かつ／あるいは貯蔵することができるよう位置決めされているのが良い。例えば、幾つかの実施形態では、線香５０からの材料は、灰孔１９６０の任意の部分を通って中央部分１９２０中に落下するのが良い。図２２を参照すると、幾つかの実施形態では、中央部分１９２０は、中央部分１９２０の灰トレー１９３５の周囲に沿ってぐるりと延びる内周壁１９３７を有するのが良い。幾つかの実施形態では、上側部分１９４０は、灰トレー１９３５の周りに少なくとも部分的に延びる内周壁１９３７の近くで中央部分１９２０の外周部に沿ってぐるりと延びる棚部１９４２の近くに位置しまたはこれに結合された状態で中央部分１９２０上に位置決めされるのが良い。説明したように（そして、図１９および図１２に示されているように）位置決めされたとき、香炉１９００の中央部分１９２０は、灰または他の燃焼生成物の収集領域として機能することができ、線香５０の香焚き済みのまたはまだ燃えていない部分が灰孔１９６０を通って灰トレー１９３５中に移動する。
【００６０】
幾つかの別の実施形態では、香炉１９００は、灰の収集のためまたは予備の線香を含む付属品の貯蔵のための追加の空所を有するのが良い。例えば、幾つかの実施形態では、ベース１９１０は、追加の線香または他の香関連付属品を貯蔵するために使用できる貯蔵空所１９９５に通じる開口部１９９０を有するのが良い。幾つかの実施形態では、貯蔵空所１９９５は、第１の端部１９０１から少なくとも部分的に第２の端部１９０２まで延びるのが良い。図示の非限定的な実施形態では、中央部分１９２０の貯蔵空所１９９５は、中央部分１９２０の底壁１９３５ａによって灰トレー１９３５から隔てられるのが良く、かくして灰または他のデブリは、隣に結合されたベース１９１０内の貯蔵空所１９９５に入るのが阻止される。幾つかの実施形態では、複数の線香（図示せず）が貯蔵空所１９９５内に位置決めされるのが良い。線香５０の位置を維持することができる内部構造体が図２４に示されている。先に説明した実施形態と関連して説明したように、線香５０は、孔１９７５を通って香支持体１９７０中に挿入されるのが良く、少なくとも部分的に内部空所１９７４を含む孔１９７５および孔１９７５から内部空所１９７４まで延びるチャネル１９７９の内部構造に基づいて、線香５０は、香炉１９００に対して種々の角度をなして位置決め可能である。香支持体１９７０の構造、使用、および作用は、香炉１１００に関連して上述し、具体的には、図１７および図１８に記載されるとともに示されているのとほぼ同じまたは同一であり、香支持体１９７０の内部幾何学的形状は、香支持体１１７０と同一またはほぼ同じであり、スケールおよび相対長さは、同一であっても良く異なっていても良い。
【００６１】
本発明の幾つかの実施形態は、燃焼を生じている香材を少なくとも部分的に包囲した構造体を有するのが良い香炉を含む。幾つかの実施形態では、香炉は、燃焼を生じている香材を見るのを少なくとも部分的に阻止しまたは覆う場合のある構造体（例えば、蓋またはカバー）を有するのが良い。幾つかの実施形態では、香炉は、香材を少なくとも部分的に包囲された香炉の領域内に保持することができ、それにより燃焼を進めさせることができ、他方、揮発性の燃焼生成物および／または煙を空気中にかつ装置の周りに放出することができる。したがって、少なくとも部分的に閉じられたアーキテクチャに起因して、ユーザは、燃焼中、香炉内の香材の少なくとも一部分を見るのが阻止される場合がある。例えば、図２５〜図２９を参照すると、幾つかの実施形態は、オプションとしての蓋部分２５４０を有する香炉２５００を含む。幾つかの実施形態では、香炉２５００は、揮発性の燃焼生成物および／または煙を香炉から導きまたは案内する構造体（例えば、通路または煙突）を有するのが良く、それにより燃焼プロセスからの揮発性燃焼生成物の放出または逃がしを可能にする。幾つかの状況では、ユーザは、揮発性燃焼生成物および／または煙が香炉２５００内の１つまたは２つ以上の燃えている香材によって生じているときに揮発性燃焼生成物および／または煙の目に見える放出を視認することができる。幾つかの実施形態では、この構造体は、香炉２５００内の揮発性燃焼生成物および／または煙の流出を可能にすることができる１つまたは２つ以上の出口２５５０に結合されるのが良い。幾つかの実施形態では、１つまたは２つ以上の出口２５５０は、１つまたは２つ以上の穴またはベントおよび／または１つまたは２つ以上のチャネルを有するのが良い。幾つかの実施形態では、１つまたは２つ以上の出口２５５０は、燃焼を生じている香材の近くに位置しまたはすぐ隣に位置するのが良い。別の幾つかの実施形態では、１つまたは２つ以上の出口２５５０は、燃焼を生じている香材から離れたところに位置決めされるのが良く、揮発性燃焼生成物および／または煙は、上述したように１つまたは２つ以上の出口２５５０に案内されまたは導かれるのが良い。香炉２５００のそれ以上の細部が図２６〜図２９に提供されている。例えば、図２６は、本発明の幾つかの実施形態に従って蓋部分２５４０が取り外された状態の図２５の香炉の斜視図である。さらに図２７は、図２５の香炉２５００の分解組立図であり、図２８は、本発明の幾つかの実施形態に従って点線で示された内側領域を含む香炉２５００の平面図である。さらに、図２９は、本発明の幾つかの実施形態に従って図２８に示されている断面線に沿って取った断面図である。
【００６２】
幾つかの実施形態では、香炉２５００の一部分は、予備のかつ／あるいは未使用のかつ／あるいは部分的に使用済みの香材を受け入れ、集め、かつ／あるいは貯蔵することができるよう構成されたベース２５１０に結合された状態で構成されるのが良い（または、ベース２５１０を形成するのが良い）構造体を含むのが良い。例えば、幾つかの実施形態では、貯蔵コンパートメントまたは区分２５１２を含む。幾つかの実施形態では、香炉２５００は、貯蔵コンパートメントまたは区分２５１２を含むベース２５１０を有するのが良い。幾つかの実施形態は、単一の貯蔵コンパートメントまたは区分（例えば、区分２５１２）を含み、他の実施形態は、複数の貯蔵コンパートメントまたは区分（例えば、コンパートメントまたは区分２５１２に結合されるとともに壁２５１７によって隔てられた追加のコンパートメントまたは区分２５１４）を含む。幾つかの実施形態では、貯蔵コンパートメントまたは区分２５１２，２５１４は、香材を補充することができ、空にすることができ、クリーニングすることができるよう香炉の他の部分から容易に分離可能であるよう構成されているのが良い。幾つかの実施形態では、貯蔵コンパートメントまたは区分は、灰トレー２５２０の下に結合された状態で位置決めされるのが良く、灰トレー２５２０は、上述した蓋部分２５４０に結合された上側部分２５３０の下に結合された状態で位置決めされるのが良い。幾つかの実施形態では、複数の線香６５がコンパートメントまたは区分２５１２，２５１４内に位置決めされるのが良い。例えば、幾つかの実施形態は、貯蔵コンパートメントまたは区分２５１２内に位置決めされた線香６５ａおよび／または貯蔵コンパートメントまたは区分２５１４内に位置決めされた線香６５ｂを含む。
【００６３】
幾つかの実施形態では、ベース２５１０と灰トレー２５２０は、実質的に継ぎ目なしの状態で結合でき、ベース２５１０から灰トレー２５２０への移行部は、ユーザ（図示せず）にはほとんど見えずまたは全く見えない。幾つかの実施形態では、ベース２５１０と灰トレー２５２０は、目に見えるまたは部分的に目に見える隙間または継ぎ目２５１２を提供するよう結合されても良い。さらに、幾つかの実施形態では、灰トレー２５２０と上側区分２５３０は、実質的に継ぎ目なしの状態で結合でき、灰トレー２５２０から上側区分２５３０への移行部は、ユーザ（図示せず）にはほとんど見えずまたは全く見えない。幾つかの実施形態では、灰トレー２５２０と上側区分２５３０は、目に見えるまたは部分的に目に見える隙間または継ぎ目２５２２を提供するよう結合されても良い。幾つかの実施形態では、灰トレー２５２０は、上側部分２５３０に設けられた延長部２５３０ａ（例えば、案内）を結合することができる灰トレーの少なくとも一部分周りに延びる棚部を有するのが良い。さらに、幾つかの実施形態では、蓋部分２５４０と上側区分２５３０は、実質的に継ぎ目なしの状態で結合でき、蓋部分２５４０から上側区分２５３０への移行部は、ユーザ（図示せず）にはほとんど見えずまたは全く見えない。幾つかの実施形態では、蓋部分と上側部分２５３０は、目に見えるまたは部分的に目に見える隙間または継ぎ目２５３２を提供するよう結合されるのが良い。
【００６４】
本発明の幾つかの実施形態は、香材（例えば、線香５０）を挿入するための複数の孔を有するのが良い香支持体２６００を備えた第１の端部２５０１を有する。例えば、幾つかの実施形態は、孔２６３０を有する第１の香支持体２６２５および／または孔２６５５を有する第２の香支持体２６５０および／または孔２６８０を有する第３の香支持体２６７５を含む。幾つかの実施形態では、孔２６３０，２６５５，２６８０のうちの任意の１つまたは２つ以上は、本明細書において説明する香炉２５００のハウジングまたは幾つかの部分のうちの任意のものに形成可能でありまたは位置決め可能である。幾つかの実施形態では、香支持体２６００を図示のように第１の端部２５０１のところで実質的に等間隔を置いて分布して配置されるのが良い。他の実施形態では、香支持体２６００は、実質的に等しくない間隔を置いて（図示せず）分布して配置されるのが良い。図２９に示されているように、香支持体２６００のうちの少なくとも１つは、香炉２５００の第２の端部２５０２に向かって香炉２５００の少なくとも部分的な長さにわたって延びるのが良い挿入状態の線香５０を有するのが良い。当業者であれば理解されるように、香支持体２６００のうちの任意のものが挿入状態の線香５０を有することができる。例えば、幾つかの実施形態は、２本の線香５０を有し、各線香は、孔２６３０，２６５５，２６８０の中から選択された孔中に位置決めされ、他の実施形態では、３つ全ての孔２６３０，２６５５，２６８０が線香５０を有することができる。
【００６５】
幾つかの実施形態では、上側部分２５４０は、上側部分２５４０の少なくとも部分的な長さにわたって延びるトラフ、空所、または孔を有するのが良い。例えば、幾つかの実施形態では、上側部分２５４０は、空所２５４８を有するのが良い。香炉２５００のアーキテクチャにより、線香５０は、線香５０の香焚き中の端または部分を開放空間中に浮かした状態で設ける一方で線香５０からの灰および他の固形廃棄物の最適な捕捉を可能にすることによって効率的に燃えるまたは焚けることができるようにすることができる。さらに、幾つかの実施形態では、香支持体２６００の１つまたは２つ以上の内面または構造体により線香５０を大部分または全体的に空所２５４８内に位置決めすることができ、その結果、線香５０の香焚き中の部分が全体として空所２５４８内に入っているままであり、香炉２５００から外に出ることがなく、もし外に出ていれば安全上の問題が生じる場合がある。例えば、幾つかの実施形態では、空所２５４８は、香支持体１９７０から遠ざかって延びる第１の端部２５０１から第２の端部２５０２に向かって延びるのが良い。幾つかの実施形態では、香支持体２６００のうちの任意のものの中での線香５０を焚くことに続き、灰または他の燃焼生成物および／または線香５０の部分的に焚かれた部分は、香支持体２６００のうちの任意のものから灰トレー２５２０中に落下することができる。幾つかの実施形態では、灰トレー２５２０に達した灰は、ユーザには見えないのが良い。幾つかの実施形態では、香炉２５００の灰トレー２５２０は、収集した灰生成物を空にして処分することができるようにするために香炉２５００の他の部分から容易に分離可能であるよう構成されているのが良い。例えば、幾つかの実施形態では、灰トレー２５２０は、燃焼生成物（例えば、線香５０からの灰または燃えさし）を後で処分できるように受け入れ、収集し、かつ／あるいは貯蔵することができるよう位置決めされているのが良い。例えば、幾つかの実施形態では、線香５０からの材料は、香支持体２６００のうちの任意のものから灰トレー２５２０中に落下することができる。この非限定的な実施形態では、ベース２５１０の貯蔵コンパートメントまたは区分２５１２，２５１４は、灰トレー２５２０の底壁２５２５によって灰トレー２５２０から隔てられており、かくして、灰または他のデブリは、貯蔵コンパートメントまたは区分２５１２，２５１４に入るのが阻止される。
【００６６】
挿入状態の線香の位置を維持することができる内部構造体が図２９に示されている。香支持体２６００の構造、使用、および作用は、香炉１１００および香炉１９００に関して上述したのとほぼ同じまたは同一であり、香支持体２６００の内部幾何学的形状は、香支持体１１７０，１９７０と同一またはほぼ同じであり、スケールおよび相対長さは、同一であっても良くまたは異なっていても良い。例えば、線香５０は、香支持体２６００のうちの任意のものの中に挿入可能であり（例えば、孔２６３０，２６５５，２６８０のうちの任意の１つまたは２つ以上を通って）、少なくとも部分的に、内部空所２７００およびチャネル２５７５を含む孔２６３０，２６５５，２６８０（孔２６３０，２６５５，２６８０のうちの任意のものは、チャネル２７５７を有する場合がある）の内部構造に基づき、線香５０は、香炉２５００に対して種々の角度をなして位置決め可能である。幾つかの実施形態では、孔２６３０，２６５５，２６８０のうちの任意の１つまたは２つ以上は、空所２５４８から香炉１１００および香炉１９００について定められた構造とほぼ同じまたは同一である壁２６８７に結合されたチャネル２５７５まで延びる上壁２６８５によって境界付けられるのが良い。
【００６７】
図３０〜図３８は、本発明の幾つかの実施形態による線香ホルダアーキテクチャを示している。図示のように、香焚き中の端部５１ａを含む第１の端部５１を有する線香５０は、香炉１００，１１００，１９００または２５００のうちの任意のものに関して上述した香支持体のうちの任意のものとともにまたはこれに代えて使用できる構造体に結合された状態で位置決め可能な第２の端部５２まで延びるのが良い。例えば、図３０は、本発明の幾つかの実施形態による線香ホルダアーキテクチャ３０００を示している。幾つかの実施形態では、線香ホルダアーキテクチャ３０００は、下側支持体３０２０および上側支持体３０１０を有し、線香５０は、少なくとも部分的に、下側支持体３０２０と上側支持体３０１０との間に配置されるのが良く、線香５０は、線香５０の接触領域３０５５のところで下側支持体３０２０にかつ線香５０の接触領域３０５０のところで上側支持体３０１０に結合されるのが良い。幾つかの実施形態では、香焚き中の端部５１ａが第２の端部５２に近づいているとき、線香５０の質量が減少し、その結果下側支持体３０２０と接触領域３０５５および／または上側支持体３０１０と接触領域３０５０との間に及ぼされる力が小さくなる。幾つかの実施形態では、線香５０の少なくとも一部分は、下側支持体３０２０および／または上側支持体３０１０から結合解除可能である。
【００６８】
図３１は、本発明の幾つかの実施形態による線香ホルダアーキテクチャ３１００を示している。幾つかの実施形態では、線香ホルダアーキテクチャ３０００は、下側支持体３１２０および上側支持体３１１０を有し、線香５０は、少なくとも部分的に、下側支持体３１２０と上側支持体３１１０との間に配置されるのが良く、線香５０は、線香５０の接触領域３１５５のところで下側支持体３１２０にかつ線香５０の接触領域３１５０のところで上側支持体３１１０に結合されるのが良い。幾つかの実施形態では、香焚き中の端部５１ａが第２の端部５２に近づいているとき、線香５０の質量が減少し、その結果下側支持体３１２０と接触領域３１５５および／または上側支持体３１１０と接触領域３１５０との間に及ぼされる力が小さくなる。幾つかの実施形態では、線香５０の少なくとも一部分は、下側支持体３１２０および／または上側支持体３１１０から結合解除可能である。
【００６９】
図３２は、本発明の幾つかの実施形態による線香ホルダアーキテクチャ３２００を示している。幾つかの実施形態では、線香ホルダアーキテクチャ３０００は、下側支持体３２２０および上側支持体３２１０を有し、線香５０は、少なくとも部分的に、下側支持体３２２０と上側支持体３２１０との間に配置されるのが良く、線香５０は、線香５０の接触領域３２５５のところで下側支持体３２２０にかつ線香５０の接触領域３２５０のところで上側支持体３２１０に結合されるのが良い。幾つかの実施形態では、香焚き中の端部５１ａが第２の端部５２に近づいているとき、線香５０の質量が減少し、その結果下側支持体３２２０と接触領域３２５５および／または上側支持体３２１０と接触領域３２５０との間に及ぼされる力が小さくなる。幾つかの実施形態では、線香５０の少なくとも一部分は、下側支持体３２２０および／または上側支持体３２１０から結合解除可能である。
【００７０】
図３３は、本発明の幾つかの実施形態による線香ホルダアーキテクチャ３３００を示している。幾つかの実施形態では、線香ホルダアーキテクチャ３３００は、下側支持体３３２０および上側支持体３３１０を有し、線香５０は、少なくとも部分的に、下側支持体３３２０と上側支持体３３１０との間に配置されるのが良く、線香５０は、線香５０の接触領域３３５５のところで下側支持体３３２０にかつ線香５０の接触領域３３５０のところで上側支持体３３１０に結合されるのが良い。幾つかの実施形態では、香焚き中の端部５１ａが第２の端部５２に近づいているとき、線香５０の質量が減少し、その結果下側支持体３３２０と接触領域３３５５および／または上側支持体３３１０と接触領域３３５０との間に及ぼされる力が小さくなる。幾つかの実施形態では、線香５０の少なくとも一部分は、下側支持体３３２０および／または上側支持体３３１０から結合解除可能である。
【００７１】
図３４は、本発明の幾つかの実施形態による線香ホルダアーキテクチャ３４００を示している。幾つかの実施形態は、第１の端部３４０５のところに支持体側部３４０７を含み、貫通孔３４１０が第１の端部３４０５と支持体側部３４０８を含む第２の端部３４０９との間に設けられている。幾つかの実施形態では、線香５０は、少なくとも部分的に孔３４１０を貫通した状態で配置されるのが良く、線香５０は、線香５０の接触領域３４５５のところで支持体側部３４０７にかつ線香５０の接触領域３４５０のところで支持体側部３４０８に結合されるのが良い。幾つかの実施形態では、燃えている端部５１ａが第２の端部５２に近づいているとき、線香５０の質量が減少し、その結果、接触領域３４５０および／または３４５５相互間に及ぼされる力が小さくなる。幾つかの実施形態では、線香５０の少なくとも一部分は、接触領域３４５０，３４５５のうちのいずれか一方またはこれら両方から結合解除可能である。
【００７２】
図３５は、本発明の幾つかの実施形態による線香ホルダアーキテクチャ３５００を示している。幾つかの実施形態では、線香ホルダアーキテクチャ３５００は、下側支持体３５５０および上側支持体３５４０を有し、線香５０は、少なくとも部分的に、下側支持体３５５０と上側支持体３５４０との間に配置されるのが良く、線香５０は、線香５０の接触領域３５５２のところで下側支持体３５５０にかつ線香５０の接触領域３５５０のところで上側支持体３５４０に結合されるのが良い。幾つかの実施形態では、香焚き中の端部５１ａが第２の端部５２に近づいているとき、線香５０の質量が減少し、その結果下側支持体３５５０と接触領域３５５２および／または上側支持体３５４０と接触領域３５５０との間に及ぼされる力が小さくなる。幾つかの実施形態では、線香５０の少なくとも一部分は、下側支持体３５２０および／または上側支持体３５４０から結合解除可能である。
【００７３】
図３６は、本発明の幾つかの実施形態による線香ホルダアーキテクチャ３６００を示している。幾つかの実施形態は、下側支持体３６５０および支持体３６０５を含み、貫通孔３６１０が貫通孔３６１０の各側で第１の端部３６０７と第２の端部３６０９との間に位置している。幾つかの実施形態では、香焚き中の端部５１ａが第２の端部５２に近づいているとき、線香５０の質量が減少し、その結果線香５０の端部５５と下側支持体３６５０との間、および／または線香５０と孔３６１０の側部との間に及ぼされる力が小さくなる。幾つかの実施形態では、線香５０の少なくとも一部分は、下側支持体３６５０および／または線香５０と孔３６１０の側部との間から結合解除可能である。
【００７４】
図３７は、本発明の幾つかの実施形態による線香ホルダアーキテクチャ３７００を示している。幾つかの実施形態は、下側支持体３７７０および壁３７５０の表面構造体３７６０を有する表面支持体を含む。幾つかの実施形態では、香焚き中の端部５１ａが第２の端部５２に近づいているとき、線香５０の質量が減少し、その結果線香５０の領域５３と下側支持体３７７０との間、および／または線香５０の端部５５と壁３７５０の表面構造体３７６０との間に及ぼされる力が小さくなる。幾つかの実施形態では、線香５０の少なくとも一部分は、線香５０の領域５３および下側支持体３７７０、および／または線香５０の端部５５と壁３７５０の表面構造体３７６０との間から結合解除可能である。
【００７５】
図３８は、本発明の幾つかの実施形態による線香ホルダアーキテクチャ３８００を示している。幾つかの実施形態は、下側支持体３８７０および壁３８５０の表面構造体３８６０を有する表面支持体を含む。幾つかの実施形態では、香焚き中の端部５１ａが第２の端部５２に近づいているとき、線香５０の質量が減少し、その結果線香５０の領域５３と下側支持体３８７０との間、および／または線香５０の端部５５と壁３８５０の表面構造体３８６０との間に及ぼされる力が小さくなる。幾つかの実施形態では、線香５０の少なくとも一部分は、線香５０の領域５３および下側支持体３８７０、および／または線香５０の端部５５と壁３８５０の表面構造体３８６０との間から結合解除可能である。
【００７６】
幾つかの実施形態は、構造体を位置決めしまたは心出しして香炉１００，１１００，１９００または２５００の任意の孔中への挿入状態の線香の支持、位置決め、またはバランスを助けることを含む。例えば、図３９は、本発明の幾つかの実施形態による線香オリフィス構造体３９００の側面図である。図４０は、本発明の幾つかの実施形態による図３９の線香オリフィス構造体３９００の断面図である。幾つかの実施形態では、この線香オリフィス構造体３９００は、香炉１００，１１００，１９００または２５００のうちの任意のものに関して上述した香支持体のうちの任意のものとともにまたはこれに代えて使用できる。線香９０が図４０に輪郭で示されており、図４０は、結合状態のフェース３９１５を備えた全体として正方形または長方形の断面を有する孔３９１０内への線香９０の位置決め状態を示している。
【００７７】
さらに、図４１は、本発明の幾つかの実施形態による線香オリフィス構造体４１００の側面図であり、図４２は、本発明の幾つかの実施形態による図４１の線香オリフィス構造体４１００の断面図である。幾つかの実施形態では、この線香オリフィス構造体４１００は、香炉１００，１１００，１９００または２５００のうちの任意のものに関して上述した香支持体のうちの任意のものとともにまたはこれに代えて使用できる。線香９０が図４２に輪郭で示されており、図４２は、湾曲したフェースと共に全体として丸形の断面を有する孔４１１０内への線香９５の位置決め状態を示している。
【００７８】
さらに、図４３は、本発明の幾つかの実施形態による線香オリフィス構造体４３００の側面図であり、図４４は、本発明の幾つかの実施形態による図４３の線香オリフィス構造体４３００の断面図である。幾つかの実施形態では、この線香オリフィス構造体４３００は、香炉１００，１１００，１９００または２５００のうちの任意のものに関して上述した香支持体のうちの任意のものとともにまたはこれに代えて使用できる。線香９８は、表面４３０５のうちの任意の１つまたはこれらの組み合わせ相互間に形成された空間４３１０内への線香９８の位置決めが行われた状態で示されている。
【００７９】
当業者であれば理解されるように、本発明を特定の実施形態および実施例と関連して上述したが、本発明は、必ずしもこれには限定されず、多くの他の実施形態、実施例、使用、改造例およびこれら実施形態、実施例および使用からの逸脱例は、本明細書に添付された特許請求の範囲に記載された本発明に含まれるものである。本発明の種々の特長および種々の利点は、特許請求の範囲に記載されている。
【図１】
2019528980.tif 000003
【図２】
2019528980.tif 000004
【図３】
2019528980.tif 000005
【図４】
2019528980.tif 000006
【図５】
2019528980.tif 000007
【図６】
2019528980.tif 000008
【図７Ａ】
2019528980.tif 000009
【図７Ｂ】
2019528980.tif 000010
【図８】
2019528980.tif 000011
【図９】
2019528980.tif 000012
【図１０】
2019528980.tif 000013
【図１１】
2019528980.tif 000014
【図１２】
2019528980.tif 000015
【図１３】
2019528980.tif 000016
【図１４】
2019528980.tif 000017
【図１５】
2019528980.tif 000018
【図１６】
2019528980.tif 000019
【図１７】
2019528980.tif 000020
【図１８】
2019528980.tif 000021
【図１９】
2019528980.tif 000022
【図２０】
2019528980.tif 000023
【図２１】
2019528980.tif 000024
【図２２】
2019528980.tif 000025
【図２３】
2019528980.tif 000026
【図２４】
2019528980.tif 000027
【図２５】
2019528980.tif 000028
【図２６】
2019528980.tif 000029
【図２７】
2019528980.tif 000030
【図２８】
2019528980.tif 000031
【図２９】
2019528980.tif 000032
【図３０】
2019528980.tif 000033
【図３１】
2019528980.tif 000034
【図３２】
2019528980.tif 000035
【図３３】
2019528980.tif 000036
【図３４】
2019528980.tif 000037
【図３５】
2019528980.tif 000038
【図３６】
2019528980.tif 000039
【図３７】
2019528980.tif 000040
【図３８】
2019528980.tif 000041
【図３９】
2019528980.tif 000042
【図４０】
2019528980.tif 000043
【図４１】
2019528980.tif 000044
【図４２】
2019528980.tif 000045
【図４３】
2019528980.tif 000046
【図４４】
2019528980.tif 000047
【国際調査報告】
2019528980.tif 000048
2019528980.tif 000049